(57)【要約】本発明は、液体保持容器と、液体保持容器を支持する骨組シェルとを含み得るコンテナを提供する。液体保持容器は、コンテナの中に貯蔵され、またはそこから分注される液体と骨組との間の接触を防止するための可撓性ポリマーまたはプラスチック材料を含み得る。液体保持容器および閉鎖具は、最少量のポリマーまたはプラスチックから形成され得る。一実施形態において、液体コンテナは、フィットメントを有する液体保持袋であって、液体保持袋およびフィットメントは、各々、ポリマー材料から形成されている、液体保持袋と、液体保持袋を支持する成形繊維またはパルプ形成骨組シェルとを備えている。
2013522128.tif 000002
【特許請求の範囲】
【請求項１】
フィットメントを有する液体保持袋であって、前記液体保持袋および前記フィットメントは、各々、ポリマー材料から形成されている、液体保持袋と、
前記液体保持袋を支持する成形繊維またはパルプ形成骨組シェルと
を備えている、液体コンテナ。
【請求項２】
前記フィットメントは、再密閉可能な閉鎖具を備えている、請求項１に記載の液体コンテナ。
【請求項３】
前記骨組シェルは、（ａ）前記液体保持袋の重量を支持し、（ｂ）前記液体保持袋を包囲する握持領域を備え、（ｃ）前記液体コンテナを握持する際に、前記液体保持袋の圧縮を防止するように構成されている、請求項１に記載の液体コンテナ。
【請求項４】
前記液体保持袋および前記フィットメントは、両方とも、１種類のポリマー材料から、または１つの再利用群に属するポリマー材料から形成されている、請求項１に記載の液体コンテナ。
【請求項５】
前記骨組シェルは、前記液体保持袋の内容物を視認するための窓を含む、請求項１に記載の液体コンテナ。
【請求項６】
前記骨組シェルは、前記骨組シェルの少なくとも１つの縁の上に分割線フランジを伴わずに形成されている、請求項１に記載の液体コンテナ。
【請求項７】
フィットメントおよび骨組シェルに取り付けられている液体保持袋を備えている液体コンテナであって、前記フィットメントは、前記骨組シェルの１つ以上のフランジに相補的である１つ以上のフランジを備え、前記１つ以上のフランジは、前記フィットメントおよび前記骨組シェルを統合する１つ以上の接続を形成する、液体コンテナ。
【請求項８】
前記骨組シェルは、前記フィットメントの周囲で閉鎖され、前記骨組シェルは、保持カラーによって閉鎖位置に固定される、請求項７に記載の液体コンテナ。
【請求項９】
前記骨組シェルの１つ以上のフランジに対して前記フィットメントの１つ以上のフランジを保持するための保持カラーをさらに備えている、請求項７に記載の液体コンテナ。
【請求項１０】
接着剤が、前記骨組シェルの前記１つ以上のフランジに対して前記フィットメントの１つ以上のフランジを固定する、請求項７に記載の液体コンテナ。
【請求項１１】
前記フィットメントおよび前記骨組シェルは、前記液体保持袋と前記袋の内容物との重量が前記骨組シェルによって支持されるように統合される、請求項７に記載の液体コンテナ。
【請求項１２】
前記フィットメントは、溶接プロセスによって前記液体保持袋の正面に備え付けられている、請求項７に記載の液体コンテナ。
【請求項１３】
前記フィットメントは、接着剤によって前記液体保持袋の前記正面に備え付けられている、請求項７に記載の液体コンテナ。
【請求項１４】
前記フィットメントおよび前記液体保持袋は、単一のポリマー種で構築されている、請求項７に記載の液体コンテナ。
【請求項１５】
前記フィットメントおよび／または前記液体保持袋は、複数のポリマー種で構築されている、請求項７に記載の液体コンテナ。
【請求項１６】
保持袋を材料で充填するための開口部を有するフィットメントを伴う保持袋であって、前記フィットメントは、骨組シェルへ確実な接続を行うための１つ以上の外部嵌合特徴を有し、前記開口部は、前記材料で充填されると、密閉可能または再密閉可能に閉鎖可能である、保持袋と、
前記液体保持袋を取り囲む、成形繊維またはパルプ形成骨組シェルと
を備えている、コンテナ。
【請求項１７】
前記外部嵌合特徴は、前記骨組シェルに固定され、剛体構造を形成するフランジを備えている、請求項１６に記載のコンテナ。
【請求項１８】
前記外部嵌合特徴は、可撓性ポリマーから形成されている、請求項１６に記載のコンテナ。
【請求項１９】
前記骨組シェルは、１つ以上の握持領域を備えている、請求項１６に記載のコンテナ。
【請求項２０】
前記１つ以上の握持領域の各々は、１つ以上のくぼみと１つ以上の隆起とを備えている、請求項１９に記載のコンテナ。
【請求項２１】
前記１つ以上の外部嵌合特徴は、保持カラーを含む、請求項１６に記載のコンテナ。
【請求項２２】
前記１つ以上の外部嵌合特徴は、取付支柱を含む、請求項１６に記載のコンテナ。
【請求項２３】
前記１つ以上の外部嵌合特徴は、前記フィットメントと一体である、請求項１６に記載のコンテナ。
【請求項２４】
前記成形またはパルプ形成骨組シェルは、平坦な基部を備えている、請求項１６に記載のコンテナ。
【発明の詳細な説明】
【技術分野】
【０００１】
（関連出願の引用）
本願は、米国仮特許出願第６１／３１２，６５８号（２０１０年３月１０日出願）を基礎とする優先権を主張する。該出願は、その全体が参照により本明細書に引用される。
【背景技術】
【０００２】
液体を含むために使用される包装は、大量の廃棄物を生成し得る。場合によっては、液体を含むために使用される包装は、再利用することができる。液体を含むために使用される包装は、参照することによりその全体が本明細書に組み込まれる、特許文献１で説明されている。
【０００３】
従来、ワイン、ビール、および牛乳等の多くの飲料は、ガラス瓶で供給されていた。これらの瓶を作製するために使用されるガラスは、それ自体が再利用され得る。しかしながら、瓶を作製するために必要とされるエネルギーは大きい。また、結果として生じる包装の重量は大きく、製品を輸送するために必要とされるエネルギー量を増大させる。ガラスを再利用することができるが、これは、瓶が他の廃棄物から分離されることを要求し、例えば、ユーザが収集のために他の家庭廃棄物からガラス瓶を分離することを要求する。したがって、しばしば、ガラス瓶が他の廃棄物とともに処分されることがある。この場合、ガラス瓶は、埋立地の中に処分される場合がある。これは、何らかの他の形態の廃棄物と違って、ガラスが生物分解性でないため、問題である。
【０００４】
近年、水、ジュース、炭酸入り飲料、または牛乳等の液体のための、ＰＥＴまたはＨＤＰＥ等のプラスチックでできている瓶を使用することが一般的になっている。この場合、コンテナが再利用材料から形成された場合にあり得るような瓶内に含まれる液体が汚染されないことを確実にするように、瓶は、未使用材料、すなわち非再利用材料から形成されることが一般的である。材料自体は、ガラス瓶と同様に、他の廃棄物から分離された場合に再利用することができるが、これは、住人等の廃棄物生産者が、他の廃棄物材料からコンテナを分離することが必要なため、あまり頻繁に生じない。ここでも、コンテナが埋立地または同等物に処分される場合、瓶は、生物分解性でない。また、瓶は、中空の剛性構造により、材料自体の容量よりも大きい容量を占め、したがって、埋立地の過剰量の空間を占める。
【０００５】
また、積層厚紙コンテナの中に、例えば、Ｔｅｔｒａ  Ｐａｋによって販売されているコンテナの中に、液体を包装することが提案されている。この場合、コンテナの本体が形成される厚紙は、未使用または再利用材料であり得る。厚紙は、耐水被覆を伴って積層される。これは、コンテナが、液体を保持し得ることを確実にし、また、液体と厚紙との間の障壁の役割も果たし、厚紙からの液体の汚染を防止できることを確実にする。これは、厚紙が再利用材料から形成される場合に特に必要とされる。そのような包装に関する問題は、それらが再利用し難く、耐水被覆がそれらの完全な分解を妨げることである。内容物を分注するための包装の一部として、プラスチック分注ノズルまたはキャップが形成される場合に、問題は悪化する。これは、コンテナを再利用することができる前に、またはこれの部品が分解される前に、分離される必要がある、別の構成要素である。
【０００６】
いくつかの国において、牛乳等の液体は、袋の中に包装される。しかしながら、これらの袋は、構造的安定性がほとんどなく、したがって、輸送すること、および棚に積み重ねることが困難である。それらはしばしば、再密閉可能ではなく、手に持って運び難くする。
【０００７】
ワインを箱の中に包装することが知られている。これらは、包装のための構造を提供する、典型的には積層厚紙で形成される箱本体を備えている。袋が箱内に提供され、ワインが袋内に含まれる。しばしば、分注タップが袋に接続され、使用時には、箱の中の側面開口部を通して突出するように配置される。そのような場合において、注ぎ口が、分注のために箱の外側に突出するか、または張り出すように作製される。液体の重量は、通常、箱底部に沿って分布し、箱から突出する分注タップによって支持されない。そのようなコンテナの効率的な処分のために、異なる材料でできている部品のそれぞれも分離され、すなわち、箱から袋、袋から分注タップ、および箱を形成する厚紙から積層物が分離される。包装構成要素のこの分離は、困難であり、そのような包装が、効率的に処分または再利用されることを妨げる。
【０００８】
さらに、場合によっては、瓶または他の液体コンテナは、再利用品回収容器に入らない、付加的で分離可能な構成要素を含む。例えば、ルーズキャップ、ストロー、およびプラスチックのいたずら防止または不正開封防止デバイスが、環境内の全体的なごみの一因であり得る。たとえ瓶が再利用品回収容器またはごみ箱に入ったとしても、それらのキャップまたは他の種類の閉鎖具はしばしば、最終的に一般ごみになる。
【０００９】
したがって、高められた機能性および設計特微を消費者に提供しながら、環境への悪影響を低減する改良型コンテナの必要性がある。
【先行技術文献】
【特許文献】
【００１０】
【特許文献１】国際公開第２００７／００６６０９０号
【発明の概要】
【課題を解決するための手段】
【００１１】
本発明の側面によれば、固体および液体等の材料を保持するためのコンテナが提供される。
【００１２】
実施形態では、液体コンテナは、フィットメントを有する液体保持袋であって、液体保持袋およびフィットメントは、各々、ポリマー材料から形成される、液体保持袋と、液体保持袋を支持する成形繊維またはパルプ形成骨組シェルとを備えている。
【００１３】
本発明の別の実施形態では、液体コンテナは、フィットメントおよび骨組シェルに取り付けられる、液体保持袋を備え、フィットメントは、骨組シェルの１つ以上のフランジに相補的である、１つ以上のフランジを備え、１つ以上のフランジは、フィットメントおよび骨組シェルを統合する１つ以上の接続を形成する。
【００１４】
別の実施形態では、コンテナは、保持袋を材料で充填するための開口部を有するフィットメントを伴う、保持袋であって、フィットメントは、骨組シェルへ確実な接続を行うための１つ以上の外部嵌合特徴を有し、開口部は、材料で充填されると、密閉可能または再密閉可能に閉鎖可能である、保持袋と、液体保持袋を取り囲む、成形繊維またはパルプ形成骨組シェルとを備えている。
【００１５】
本開示の例証的実施形態のみが示され、説明される、以下の発明を実施するための形態から、本開示の付加的な側面および利点が、当業者に容易に明白となろであろう。認識されるように、本開示は、他の実施形態および異なる実施形態が可能であり、そのいくつかの詳細は、本開示から逸脱することなく、種々の明白な点における修正が可能である。したがって、図面および説明は、制限的ではなく、本質的に例証的と見なされるものである。
【００１６】
（参照による組み込み）
本願明細書で記述される全ての出版物、特許、および特許出願は、各個別出版物、特許、または特許出願が、参照することにより組み込まれるように詳細に、個々に示されたかのように、同じ程度に参照することにより本明細書に組み込まれる。
【００１７】
本発明の特徴および利点は、以下の発明を実施するための形態、および例示的実施形態を記載する添付図面を参照することによって、さらに説明され得る。
【図面の簡単な説明】
【００１８】
【図１】図１は、本発明の実施形態による、成形繊維またはパルプ成形骨組と、液体保持袋と、閉鎖具とを備えている、コンテナの略図である。
【図２】図２は、本発明の実施形態による、取り付けられた首部を伴う容器の略図である。
【図３】図３は、本発明の実施形態による、首部を通して繊維成形またはパルプ成形骨組に接続される容器を伴うコンテナの断面図である。
【図４】図４は、本発明の実施形態による、コンテナの首部領域の付近に補強特徴を伴うコンテナの断面図である。
【図５Ａ】図５Ａは、本発明の実施形態による、不正開封防止密閉具を伴うコンテナの断面図である。
【図５Ｂ】図５Ｂは、本発明の実施形態による、コンテナの首部の断面図である。
【図６】図６は、本発明の実施形態による、容器を繊維またはパルプ成形本体に固定するためのフランジを有する、容器を伴うコンテナの略図である。
【図７】図７は、本発明の実施形態による、容器に取り付けられた不正開封防止密閉具を示す略図である。
【図８】図８は、本発明の実施形態による、コンテナのための蓋を示す略図である。
【図９】図９は、本発明の実施形態による、可撓性袋コンテナの説明図である。
【図１０】図１０は、本発明の実施形態による、開放位置で示される、可撓性液体保持袋を支持するクラムシェル型骨組を伴うコンテナの説明図である。
【図１１】図１１は、本発明の実施形態による、骨組内に含まれる液体保持袋からの骨組の分離を促進する、穴および穿孔等の特徴を有する骨組とともに形成される、コンテナの説明図である。
【図１２】図１２は、本発明の実施形態による、分割線の上側および下側に突出する特徴を伴うパルプ成形シェルを示す。
【図１３】図１３は、本発明の実施形態による、シェルに剛性を提供し、かつフィットメントへの摩擦嵌めを促進するように突出部または凹部を伴う、シェルを示す。
【図１４Ａ】図１４Ａは、本発明の実施形態による、平坦な基部を伴うパルプ成形シェルの側面図である。
【図１４Ｂ】図１４Ｂは、本発明の実施形態による、平坦な基部を伴うパルプ成形シェルの底面図である。
【図１５Ａ】図１５Ａは、本発明の実施形態による、多部品シェルを示す。
【図１５Ｂ】図１５Ｂは、本発明の実施形態による、シェル部品を挿入成形品と嵌合するために位置付けられた袋を示す。
【図１５Ｃ】図１５Ｃは、本発明の実施形態による、挿入成形品を伴うシェル部品を示す。
【図１６】図１６は、本発明の実施形態による、縁備え付け型フィットメントを伴う枕型袋を示す。
【図１７】図１７は、本発明の実施形態による、正面備え付け型フィットメントを伴う袋を示す。
【図１８】図１８は、本発明の実施形態による、締まり摩擦相互係止によってシェルに取り付けられたフィットメントを示す。
【図１９Ａ】図１９Ａおよび１９Ｂは、本発明の種々の実施形態による、機械的変形によってシェルに取り付けられたフィットメントを示す。
【図１９Ｂ】図１９Ａおよび１９Ｂは、本発明の種々の実施形態による、機械的変形によってシェルに取り付けられたフィットメントを示す。
【図２０】図２０は、本発明の実施形態による、ヒートステークによってシェルに取り付けられたフィットメントを示す。
【図２１】図２１は、本発明の実施形態による、ヒートステークによってシェルに嵌合されたフィットメントを示す。
【図２２】図２２は、本発明の実施形態による、骨組内に液体保持袋を有する、液体コンテナを示す。
【図２３Ａ】図２３Ａ〜２３Ｆは、本発明の種々の実施形態による、図２２の液体コンテナの種々の図を図示する。
【図２３Ｂ】図２３Ａ〜２３Ｆは、本発明の種々の実施形態による、図２２の液体コンテナの種々の図を図示する。
【図２３Ｃ】図２３Ａ〜２３Ｆは、本発明の種々の実施形態による、図２２の液体コンテナの種々の図を図示する。
【図２３Ｄ】図２３Ａ〜２３Ｆは、本発明の種々の実施形態による、図２２の液体コンテナの種々の図を図示する。
【図２３Ｅ】図２３Ａ〜２３Ｆは、本発明の種々の実施形態による、図２２の液体コンテナの種々の図を図示する。
【図２３Ｆ】図２３Ａ〜２３Ｆは、本発明の種々の実施形態による、図２２の液体コンテナの種々の図を図示する。
【発明を実施するための形態】
【００１９】
本発明の好ましい実施形態が、本明細書で示され、説明されているが、そのような実施形態は一例のみとして提供されることが、当業者に明白となるであろう。多数の変化例、変更、および置換が、本発明から逸脱することなく、当業者に思い浮かぶであろう。本明細書で説明される本発明の実施形態の種々の代替案が、本発明を実践する際に採用され得ることを理解されたい。
【００２０】
本発明は、液体保持容器、閉鎖具、および骨組から成る群より選択される構成要素を備えている、コンテナを提供する。本明細書で説明される、液体保持容器と、フィットメントと、閉鎖具と、骨組とを含む、コンテナ構成要素は、本発明の種々の説明図と入れ替える、または組み合わせることができる。本明細書で説明される本発明の側面のうちのいずれかは、当業者に公知である他のコンテナ構成要素と組み合わせることができる。
【００２１】
本明細書で説明されるコンテナは、人間による消費用の飲料の送達および／または貯蔵に、あるいは人間による消費用ではない他の材料の送達に使用することができる。含むことができる材料の例は、飲料、シロップ、濃縮物、石鹸、インク、ゲル、固体、および粉末を含む。液体保持容器であり得る容器は、好ましくは、１種類の材料から成り、材料の完全な再利用を促進することができる。本発明の他の実施形態では、容器アセンブリが、有意に、１種類の材料で作ることができる一方で、キャップまたはいたずら防止密閉具等の構成要素は、その目的に適した異なる材料で作られ得る。
【００２２】
液体保持容器は、配送中および取扱中に容器を支持するように、構造筐体または骨組に連結することができる。流体は、注入、吸引、噴出、または他の手段によってコンテナから分注することができる。構造筐体は、容器の潰れを防止し、コンテナが片手で取り上げられ、飲料が制御された様式で分注されることを可能にするのに十分なコンテナへの横力に抵抗することができる。
【００２３】
図１は、成形繊維またはパルプ形成骨組（１１０）によって支持される液体保持袋を備えている、コンテナの説明図を示す。成形繊維またはパルプ形成骨組は、繊維成形またはパルプ形成骨組内に含まれる液体保持袋の内容物を視認するための１つ以上の開口部（１２０）を備えていることができる。液体保持袋は、光学的に透明な材料で形成することができる。コンテナはまた、フィットメント（１３０）を備えていることもできる。閉鎖具は、保持カラー（１４０）と、キャップ（１６０）とを備えていることができる。コンテナはまた、ユーザによるコンテナの把持または握持のための把持または握持領域（１７０）を有することもできる。
【００２４】
本明細書の液体保持袋または容器は、ポリマーまたは他の液体不透過性材料で形成することができる。ポリマーまたは他の液体不透過性材料は、消費製品の貯蔵用の食品等級であり得る。液体保持容器は、可撓性または圧縮可能であり得る。本発明のいくつかの実施形態では、液体保持容器を構築するために使用されるポリマーの量は、所与の容器容量に対して最小限化される。液体保持容器の構築に使用されるポリマーの最小限化は、コンテナの生産または処分と関連する負の環境影響を低減することができる。本発明の他の実施形態では、液体保持容器は、液体保持容器に形状を提供するための継ぎ目を備えていることができる。場合によっては、容器は、高められた製品寿命を可能にする、単一かつ均一なポリマーで形成することができる。
【００２５】
本明細書の閉鎖具は、液体保持コンテナの可逆的密閉および容器内からの液体の分注を可能にするように、液体保持容器の開口部の付近に取り付けることができる。閉鎖具は、好ましくは、ポリマーまたは任意の他の液体不透過性材料で形成することができる。本発明のいくつかの実施形態では、閉鎖具および液体保持容器は、１つの再利用群に属するポリマーから形成されるか、または同じ種類のポリマーから形成される。本発明のいくつかの実施形態では、フィットメントは、単一のポリマー種で構築され、液体保持容器は、複数のポリマー種で形成される。同じ種類のポリマーからの、または１つの再利用群に属するポリマーからの閉鎖具および液体保持容器の形成は、簡略化および／またはコスト削減された再利用を可能にすることができる。ポリマーの種類は、ポリエチレンテレフタレート（ＰＥＴ）、高密度ポリエチレン（ＨＤＰＥ）、ポリ塩化ビニル（ＰＶＣ）、低密度ポリエチレン（ＬＤＰＥ）、ポリプロピレン（ＰＰ）、ポリスチレン（ＰＳ）、および他のポリマーを含むことができる。ポリマーは、ＦＤＡ承認済のプラスチックであり得る。再利用群は、プラスチック識別コード１、２、３、４、５、６、および７を含むことができる。再利用群は、再利用プロセスの前にプラスチックまたはポリマー種の分離を必要としない再利用プロセスを使用して、一緒に再利用することができる、一組のプラスチックまたはポリマー種を含むことができる。
【００２６】
本発明のいくつかの実施形態では、閉鎖具を構築するために使用されるポリマーの量は、最小限化される。閉鎖具の構築に使用されるポリマーの最小限化は、閉鎖具の生産または処分と関連する負の環境影響を低減することができる。
【００２７】
本明細書のフィットメントは、超音波溶接、熱融着、または当業者に周知である他の方法等の頑丈な手段を通して、液体保持容器の開放端に機械的に取り付けることができる。フィットメント／分注開口部は、首部を構造筐体または骨組上の特徴に保持する、中央に位置する首部の取り付けられていない端部から外向きに延在する、環状保持カラーを伴って、単一の中央に位置する首部から成ることができる。環状保持カラーは、首部の外側部分上の適切な畝のある特徴との保持カラーの内側部分の係合を通して、中央首部への確実な接続を確立するように成形することができる。保持カラーの外側部分は、構造筐体または骨組の最上部分を保持するように成形することができる。構造筐体または骨組の構成がクラムシェルと同様である、構造筐体または骨組の一実施形態では、環状保持カラーは、液体保持容器の周囲でクラムシェルの確実な閉鎖を提供することができる。当業者であれば、保持カラーの機能は、弾性結紮、接着または非接着テープまたはフィルム、コード、金属結紮、熱収縮管類、接着または非接着紙ラベル、密閉ワックス等の他のデバイスによって果たすことができると認識するであろう。
【００２８】
本明細書の閉鎖具はまた、不正開封防止密閉具を含むこともできる。不正開封防止密閉具は、コンテナが開かれたかどうかを示すことができる。不正開封防止密閉具は、紙、ポリマー、ワックス、または任意の他の液体不透過性材料で形成することができる。本発明の他の実施形態では、不正開封防止密閉具は、液体不透過性材料から形成されない。不正開封防止密閉具は、開口部または開口を覆う、膜または他の薄い軽量材料であり得る。本発明のいくつかの実施形態では、不正開封防止密閉具および閉鎖具の他の構成要素は、同じポリマー種から、または単一の再利用群に属するポリマーから形成される。不正開封防止密閉具は、不正開封防止密閉具を破ることでコンテナから構成要素を解放しないように設計することができる。本発明の他の実施形態では、不正開封防止密閉具は、コンテナからの不正開封防止密閉具の構成要素の解放によって破られる。不正開封防止密閉具は、最初の噛み付き、またはコンテナの開口部への他のユーザ動作によって破られることができる。
【００２９】
本発明のいくつかの実施形態では、袋に連結される不正開封防止特徴または密閉具は、不正開封防止密閉具を破る、破壊、または開封することで、袋の開口部の形成をもたらすように構成することができる。それは、袋の強度または袋の引裂強度よりも大きい接着強度または付着強度を保有する、不正開封防止特徴を選択することによって設計することができる。付着強度は、袋に対する不正開封防止特徴の一部分の間の付着強度であり得る。この構成は、不正開封防止密閉具が破られた、または除去された場合に、袋を引き裂くことによって袋の開口部の形成をもたらすことができる。
【００３０】
本明細書で首部と呼ばれ得るフィットメントは、容器の可逆的閉鎖および開放に使用され得る閉鎖具と、シェルまたは骨組上の１つ以上の特徴または部品に相補的である１つ以上の部品または特徴とを含むことができる。フィットメントは、袋に溶接するか、または別様に取り付けることができる。フィットメントは、パルプシェルに固定することができ、それによって、フィットメントを介して袋を骨組に固定する。いくつかの実施形態では、フィットメントは、再密閉可能な閉鎖具を備えている。他の実施形態では、フィットメントは、ツイストキャップ、スナップキャップ、または蓋を備えている。
【００３１】
本明細書で提供されるコンテナのための首部またはフィットメント部分は、流体経路によって液体保持容器の内側と外側との間の連通を可能にする開口部を形成する、概して円筒形または長円形のセクションを形成することができる。流体経路は、液体保持容器内からの流体の抽出前に、密閉具がユーザの手によって除去されることを可能にする特徴を伴う一体的に成形された不正開封防止密閉具によって遮断されることができる。
【００３２】
さらに、首部またはフィットメントは、円筒形または長円形の外側表面から半径方向または円周外向きに延在し、構造筐体または骨組の最上部の付近に形成される特徴との相互係止を提供するような方法で離間されて位置する、複数のフランジまたは重ね合わせ特徴を伴って形成することができる。構造筐体または骨組はまた、首部のフランジまたは重ね合わせ特徴と嵌合するように、１つ以上のフランジまたは重ね合わせ特徴を備えていることもできる。首部と構造筐体または骨組との間の確実な相互係止は、首部の長軸に沿って、または首部の長軸の周囲で、あらゆる相対運動を防止することができる。場合によっては、回転運動が、長軸の周囲において筐体と首部との間で許され得る。フランジまたは重ね合わせ特徴は、糊および接着剤によって、または本明細書で説明される任意の他の方法あるいは構造によって、首部または骨組に固定され得る。いくつかの実施形態では、首部またはフィットメントは、薄膜を備え得る融解部分、または他の融解可能な部分を含むことができる。骨組は、再凝固して、骨組とフィットメントとの間に接着または物理的接続を形成することができる、融解部分を融解または溶接することによって首部に固定することができる。首部のフランジまたは重ね合わせ特徴は、接着剤、糊によって、または本明細書で説明される任意の他の方法あるいは構造によって、骨組のフランジまたは重ね合わせ特徴に固定され得る。首部のフランジまたは重ね合わせ特徴は、骨組のフランジまたは重ね合わせ特徴に相補的であり得る。
【００３３】
本明細書の本発明による外側骨組は、エンクロージャおよび液体保持容器に対する支持を提供する、任意の構造体を備えていることができる。液体保持容器の重量は、骨組によって支持され得る。場合によっては、液体保持容器の重量は、好ましくは、骨組に接続される首部領域だけで支持され得る。骨組は、構造的支持を提供するために好適である、任意の材料で形成することができる。いくつかの構成では、骨組は、ユーザの手のための把持または握持領域を提供するように、および／または骨組内に含まれる液体保持容器の圧縮を防止するように、十分な構造的剛性を有することができる。把持または握持領域は、液体保持容器が把持または握持領域上の２点間にあるように、液体保持容器の周囲に位置付けることができる。そのような構成では、液体保持容器は、液体保持容器が潰れるにつれて、その内容物を自然に排出することができる。本明細書で説明されるフィットメントはまた、本明細書で説明されるコンテナの把持または握持を促進するように設計され得る。フィットメントは、把持または握持を促進するように、溝、強化表面、または摩擦パッドを有することができる。
【００３４】
液体保持袋が、液体の貯蔵中または液体の分注中に、液体保持袋内に含有された任意の液体と骨組との接触を防止することができるため、骨組を形成するために使用される材料は、食品等級である必要はない。骨組は、成形繊維またはパルプあるいは紙等の生物分解性材料を含むことができる。例えば、骨組は、１００％使用済の繊維またはパルプ原料を含み得る。別の実施例では、骨組は、１００％再利用の波状繊維板および新聞を含み得る。本明細書で説明される骨組または他の材料は、未使用パルプ繊維を含むことができる。骨組は、タイプ２成形繊維、タイプ２Ａ熱成形繊維、タイプ３熱成形繊維、タイプ４熱成形繊維、成形繊維、Ｘ線形成繊維、赤外線形成繊維、マイクロ波形成繊維、真空形成繊維、構造繊維、シート素材、再利用プラスチック、または任意の他の構造材料を含むことができる。骨組を形成するために使用され得る材料のうちの任意のものが、本明細書で説明される実施形態のうちの任意のもので使用され得る。パルプの任意の論議はまた、骨組または骨組シェルを形成するために使用され得る材料（例えば、繊維成形、天然繊維、生物分解性材料、または堆肥にできる材料）のうちの任意のものに該当し得る。
【００３５】
骨組は、積層される、折り畳まれる、または相互に接着される、１枚以上の材料のシートから形成することができる。材料のシートは、骨組を形成するように、簡略化されたシートの折り畳みのためのヒンジ、継ぎ手、折り目、相互係止、フランジ、またはフラップを備えていることができる。
【００３６】
本発明のいくつかの実施形態では、骨組は、繊維またはパルプ成形本体を備えている。繊維およびパルプ成形体は、中空シェル、クラムシェル、２部品シェル、多部品シェル、またはそれらの組み合わせであり得る。中空シェルは、液体保持容器が、中空シェルの開口部を通して中空シェルの内側に配置される、１部品繊維またはパルプ成形本体であり得る。クラムシェルは、液体保持容器の周囲に折り畳まれる、ヒンジを伴う繊維またはパルプ成形本体であり得る。ヒンジは、クラムシェルの任意の側面上に位置することができる。例えば、ヒンジは、骨組の底縁部または側縁部に沿うことができる。別の実施例として、クラムシェルは、ヒンジを伴わずに２つの半分から形成することができ、別個のシェルが一体となる。クラムシェルおよび／または液体保持容器は、クラムシェルを液体保持容器に、またはその周囲に固定するための、フランジおよび／または相互係止を有することができる。２部品シェルは、液体保持容器を取り囲むことができる、２つの繊維またはパルプ成形本体部品を備えていることができる。２つの部品は、部品を相互に固定するための相互係止またはフランジを有することができる。２部品シェルは、液体保持容器を取り囲むことができる相互に対面する開放端を伴って、相互に組み立てられる、２つのカップ状部品の２分割型アセンブリであり得る。多部品シェルは、ヒンジを伴う繊維またはパルプ成形本体部品、あるいは多部品シェルを液体保持容器の周囲に閉鎖形態で固定するための腹部バンドおよび／または端部キャップと組み合わせた２部品繊維もしくはパルプ成形本体を備えていることができる。骨組の部品は、接着剤、ラベル、機械的変形、または当業者に公知である任意の他の手段によって、適所で保持することができる。
【００３７】
骨組は、機能的特徴の組み込みのために成形することができる。本発明のいくつかの実施形態では、骨組は、開口部または切抜きを備えていることができる。開口部または切抜きは、骨組の任意の側面または表面上に位置することができる。開口部または切抜きは、複数の機能を提供することができる。これらの機能は、骨組を形成するために使用される材料の量を低減すること、骨組の重量を低減すること、コンテナの内容物を視認することを可能にすること、補剛リブ特徴の位置決めを可能にすること、骨組の別の部品からの相互係止特徴を保持すること、骨組を握持する能力を高めるための特徴を提供すること、液体保持容器からの分離のための特徴を提供すること、および骨組を潰す、または圧縮する能力を増大することを含む。開口部または切抜きは、骨組の成形中に形成することができ、または骨組の成形後に打ち抜く、もしくはウォーターカットすることができる。
【００３８】
パルプ成形することができる骨組は、図１２に示されるように、ツール分割線の下側または上側に延在する特徴を有することができる。分割線は、図１２の破線として示され、矢印２５０５は、破線のうちの１本に向かって指し示す。４本の破線は、分割線面を示す。分割線は、いったん骨組が閉鎖位置になると、骨組の２つの側面が接触する場所を概ね示す。パルプ成形プロセスに典型的である水平分割線フランジは、２５０３における縁部の周辺以外の部分面の周囲に延びていることが分かる。相対的に、矢印（２５０３）は、分割線フランジを持たない骨組の縁部に向かって指し示す。代わりに、骨組は、分割線を越えて垂直に延在する。図１２は、分割線フランジを伴わない底縁部を有する骨組を示しているが、分割線フランジを伴わずに任意の縁部を設計することができる。分割線フランジの欠如は、その縁部が同様に分割線フランジを持たない骨組の別の縁部に接合される場合に、平面が形成されることを可能にすることができる。本明細書で後に説明され、示されるように、平面は、コンテナが平面上で安定的に着座することを可能にすることができる。革新的な平坦な底部は、取り上げられ、表面上に置かれるという使用および乱用により良好に耐えることができる、より弾性の瓶を提供することができる。現在の技術は依然として、フランジを必要とするが、着陸点を基部の隅まで延長させることができる、局所低ドラフト領域を有するか、または低ドラフト領域が全くない。しかしながら、これらの着陸点は、局部的にすぎず、より容易に点荷重を受けて損傷され、瓶を垂直から外れて着座させる。本発明の実施形態の瓶の略平坦な底部は、力の荷重をより良好に分配し、損傷され得る局所特徴がない、より均一な下面を有する。したがって、実施形態の瓶は、より固有の安定性を提供した。図１２に示されるように、本明細書で説明されるコンテナは、パルプ成形または任意の他のコンテナが閉鎖構成に折り畳まれることを可能にする、屈曲部分または継ぎ目（２５０７）を有することができる。
【００３９】
いくつかの実施形態では、特徴は、分割線の下側に突出してもよく、例えば、骨組の最上部の付近の特徴（２５０１）である。図１３に示されるように、骨組の中の特徴は、フィットメント（３３０３）上の特徴に相補的であり得るか、また、骨組およびフィットメントを統合するために使用することができる。骨組の成形部分は、骨組に嵌合されるフィットメントの形状に相補的であり得る。フィットメントの中の溝および／または隆起は、骨組の中の溝および／または隆起と整列し得る。特徴は、溝または隆起に限定されず、窪み、凹み、長方形、リブを伴う環状フランジ、および／またはフィットメントの中に差し込まれる一連のリブも含み得る。相補的特徴は、骨組に対するフィットメントの回転を低減することができる。凹みおよび窪み等の骨組および／またはフィットメント上の特徴は、フィットメントを骨組に固定するために使用され得る、糊または他の接着剤の付着力を増大させることができる。特徴は、摩擦、機械的変形、ヒートステーク（本明細書で説明される）、または当技術分野で公知である任意の他の方式によって、フィットメントと嵌合するように設計することができる。図１３に示されるように、分割線の下側に突出する部分はまた、フィットメント（３３０３）と係合し得る領域に沿って延在する、補剛突出部（３３０１）を有することもできる。これらの領域は、円周であり得る。これらの突出部は、構造的剛性を骨組に提供することができる。代替として、これらの特徴は、骨組の分解を促進するように設計される穴を可能にすることができる。
【００４０】
他の実施形態では、骨組の基部（２５０３）の付近に示されるもの等の特徴が、分割線を越えて延在することができる。骨組上の特徴、例えば、骨組の基部（２５０３）の付近の特徴は、同等または非同等サイズであり、それらが重複するように設計することができ、または一方の特徴が他方の特徴のスロットを通って挿入するように設計することができる。重複特徴は、接着剤を伴わずに、骨組の２つの側面が相互に固定されることを可能にすることができる。特徴は、いったん１つの特徴が別の特徴のスロットを通して挿入されると、骨組の側面が分離されるのを防止するように設計することができる。例えば、骨組の一方の側面上の第１の特徴は、矢頭のように成形され、骨組の別の側面上の第２の特徴は、スロットを有することができる。矢頭形状の特徴は、第２の特徴のスロットを通して挿入することができ、矢頭は、側面が分離されることを防止する。一方の特徴を他方の特徴に固定するために、フック形、Ｌ字形、Ｙ字形、およびＴ字形等の他の形状を使用することができる。特徴は、それらが起源である骨組部分の平面内に延在することができ、または特徴は、それらが起源である骨組部分の平面以外の平面内に延在することができる。例えば、図１２に示される骨組の基部の特徴（２５０３）は、骨組の最上部の特徴（２５０１）に向かって延在することができる。角度を成す特徴は、フック等の種々の係止形状が形成されることを可能にすることができる。特徴は、成形プロセス中に形成することができ、および／またはパルプ成形後に、折り畳みまたは当技術分野で公知である任意の他の方法によって修正することができる。特徴は、第２の特徴のスロットを通して挿入されために、変形されることが必要であってもなくてもよい。
【００４１】
重複特徴は、平面が、２つのパルプ成形部分、部品、または半分から形成されることを可能にすることができる。例えば、図１４Ａは、閉鎖位置にある骨組の底部の側面図を示し、図１４Ｂは、底面（２６０７、２６０５）が分割線フランジを伴わずに平坦となる、閉鎖位置にある骨組の底面図を示す。底面は、平坦であってもよく、または分割線フランジの欠如を伴って平坦であり得る。相対的に、側面は、外部フランジ（２６０９、２６１１）を示す。いくつかの実施形態では、フランジは、内部、外部、または内部および外部の両方に形成することができる。
【００４２】
実施形態では、重複底部フランジを有することで、底部における筐体の部分の間で内部負荷のより良好な伝達を可能にする。負荷の分配を伴う底部における重複は、負荷を受けた継ぎ目（部品が一体となる場所）における筐体の分割を低減する。この重複はまた、自動組立と、糊が容易に追加されるための広い表面（重複領域）、または摩擦性質、または十分な係合を提供するための重複における意図的な機械係合を可能にし、基部で糊付け動作を必要としないことによって、製造費用を削減する所望とに利益をもたらすこともできる。
【００４３】
図１４Ａおよび図１４Ｂはまた、パルプ成形骨組が、破線（２６０１、２６０２）によって示されるように、約９０度である壁の間の角度を有することができる。図１４Ａでは、破線（２６０１）は、基部と側壁との間の角度を示す。破線（２６０２）は、基部と別の側壁との間の角度を示す。これらの角度は、同様または同一であり得る。この角度は、約８０度から１００度、または約８５度から９５度、または約９０度から９３度の間であり得る。角度は、平坦または実質的に平坦な基部を可能にし得る。示された角度（２６０１、２６０２）は、重複基部表面から概して平坦な基部を形成するように協働し得る。図１４Ｂでは、破線（２６０３）は、２つの側壁の間の角度を示す。この角度は、約８０、８５、９０、９５度であり得る、それより大きくなり得る、またはそれより小さくなり得る。
【００４４】
いくつかの実施形態では、骨組は、複数の部品から形成することができ、そのうちのいくつかは、図１５に示されるように挿入成形部品を有することができる。図１５Ａは、第１の部分（４８０１）および第２の部分（４８０２）から形成される骨組を示す。図１５Ｂは、第２の部分から分離される第１の部分（４８１１）を示す。第１の部分（４８１１）は、示されるように、袋（４８０５）上のフィットメントと嵌合することができる受け具部分である、挿入成形部品（４８０９）を有する。矢印（４８０７）は、どのように袋のフィットメントが第１の部分の挿入成形部品に取り付けられるのかを示す。図１５Ｃは、第１の部分の断面図を示す。挿入成形部品（４８１３）は、成形プロセス中に、骨組（４８１５）とともに成形することができる。挿入成形部品は、骨組の形成前に、金型の中に配置することができる。挿入成形される部分は、手で、機械的に、またはロボットで、パルプ形成機の中へ配置することができる。いったん骨組が形成されると、挿入成形部品は、骨組と統合され、骨組と伴に金型から除去される。挿入成形部品は、任意の種類の材料であり得る。例えば、それは、プラスチック、パルプ、紙、厚紙、金属、またはガラスであり得る。挿入成形部品は、骨組と同じ種類の材料であり得る。実施形態では、挿入成形部分は、タイプ３熱成形で作製することができ、結果として生じる詳細パルプ部分は、あまり詳細ではない部分に統合された詳細領域をもたらす、挿入部分の被覆成形のために、タイプ２熱成形機の中に配置することができる。２つのプロセスの間の費用の差を伴って、最終部分は、所望される場合に、タイプ３部分全体が依然として最適な詳細および公差を有するように、より費用効率的であり得る。挿入成形部品は、ユーザによって骨組から分離することができ、それは、再利用、処分、または再使用のための材料の適正な分離を可能にすることができる。挿入成形部品はまた、骨組の安定性または剛性を増大させることもできる。例えば、挿入成形部品は、骨組の基部、側壁、または首部領域を強化するように設計することができる。挿入成形部品は、開口部を伴う、または伴わない、固体部品であり得る。挿入成形部品は、摩擦、機械的変形、ヒートステーク、スナップまたは係止、または本明細書で説明される、あるいは当業者に公知である任意の他の方式によって、袋上のフィットメントに嵌合することができる。
【００４５】
実施形態では、代替的な材料または代替的なプロセス部分の利益を達成することができる別の方法は、部分を熱成形タイプ３または形成タイプ２パルプ部分に後で追加することによる。これは、接着剤、機械的変形、ヒートステーク、相互係止等を用いて、成形を行うことができた後の、部分の追加および統合である。また、形成パルプ部分は、形成後に、別の材料の被覆成形のための金型、または異なる成形配向からの特徴の中へ、それ自体を配置することができる。挿入部分へのフィットメントの接続を可能にすること、統合装着点を有すること、類似ユニットの積み重ねを促進するように着陸点を有すること、吊り下げる／商品化するための強力な点を達成するために、積み重ね／圧縮強度を向上させるように他の材料の補強材をパルプに統合すること等を含む、骨組シェルの中（または上）への挿入または成形後部分にとっての多くの利益があり得る。
【００４６】
実施形態では、コンテナは、材料の分離および再利用のためにコンテナを引き裂いて開くことを促進するように、統合繊維プルタブ（例えば、糸、ひも、テープ、紙）を伴うパルプ部分を備えている。
【００４７】
骨組は、改良された配送または貯蔵特徴のために成形することができる。骨組は、空間効率の良い方式で骨組を他の骨組に対して積み重ねることができるように、設計することができる。本発明のいくつかの実施形態では、骨組は、運搬具の中に嵌入するように設計することができる。運搬具は、輸送中のコンテナへの破損または損傷を防止するように、構造的支持を提供することができる。
【００４８】
本明細書の液体保持容器は、骨組内で固定し、骨組によって支持することができる。骨組は、接着剤を伴わずに液体保持容器を骨組内で固定することができるように、設計することができる。首部は、骨組によって支持される、本発明の好ましい実施形態の容器に接合される。いくつかの用途について、液体保持容器の部分または特定の場所だけが、骨組に固定される。
【００４９】
本発明のいくつかの実施形態では、骨組は、コンテナの積み重ねを可能にする構造的完全性を提供するように、または骨組の形状が安定した積み重ねを可能にすることを確実にするように、首部領域または他の領域の近くに、液体保持容器の重量を支持するリブ、ガセット、タブ、フランジ、および他の細部等の補剛特徴を備えていることができる。
【００５０】
液体保持容器は、骨組の内部容積よりも大きい、または小さい容量を有することができる。骨組の内部容積よりも大きい容量を伴う液体保持容器は、骨組を構造的支持として利用することができる。本発明のいくつかの実施形態では、液体保持容器は、液体保持容器の第１の部分が骨組によって支持され、液体保持容器の第２の部分が骨組によって支持されなくてもよいような形状を備えている。
【００５１】
負の環境的影響の低減または他の目的のために、コンテナの構成要素の全ては、それらがコンテナに取り付けられるか、またはユーザによってコンテナに再び取り付けることができるように、構成することができる。さらに、コンテナは、コンテナの寿命の全体を通していかなる構成要素もコンテナから解放されないように、構成することができる。
【００５２】
液体保持容器および骨組は、使用後に再利用することができる。コンテナは、再利用プロセスを受ける前に、または処分の前に、液体保持容器および骨組を分離することができるように、設計することができる。液体保持容器および骨組はまた、補充して再使用することもできる。そのような場合において、液体保持容器は、骨組を損傷または破壊することなく、骨組から分離することができる。本発明のいくつかの実施形態では、液体保持容器は、ポリエチレンから形成され、骨組は、紙から形成され得る。場合によっては、コンテナを形成するために、２つだけの材料を使用することができるが、他の場合においては、コンテナを形成するために、種々の数の材料または材料系統を使用することができる。
【００５３】
液体保持容器および骨組の分離は、液体保持容器と骨組との間の取付点の最小化によって促進することができる。本発明のいくつかの実施形態では、取付点は、破損を可能にするように弱められる。液体保持容器および骨組の分離は、所与の再利用プロセスによるコンテナの再利用の能力および／または容易性を向上させることができる。
【００５４】
図２は、液体保持袋（２１０）の説明図である。液体保持袋は、接合、密閉、または溶接によって首部（２５０）に取り付けることができる。液体保持袋は、首部の下部分に接合、密閉、または溶接することができる。液体保持袋の首部への接合、密閉、または溶接は、首部と液体保持袋との間に、実質的に水密性の密閉を作成することができる。接合、密閉、または溶接は、袋の重量またはその中の内容物を支持することができるようなものであり得る。首部は、液体保持袋のための閉鎖具の一部分を形成することができる。首部、液体保持袋、および閉鎖具を含む、コンテナの構成要素は、同じポリマーから、同じ再利用群に属するポリマーから、または同じ種類のポリマーから形成することができる。首部は、剛、半剛、または可撓性であり得る。首部は、コンテナから液体を分注するために使用することができる、開口部（２４０）を備えていることができる。開口部（２４０）は、キャップに対する密閉のために、リブを付けることができる。首部は、首部を成形繊維またはパルプ形成骨組と嵌合するための１つ以上のフランジ（２３０）を備えていることができる。実施形態では、液体または固体内容物保持袋の形状は、最低限の材料が使用されること、内容物を確実に充填すること、骨組シェルによって提供される内部容量を最大限に利用すること、骨組シェルのいずれの特定領域上にも集中した力を伝達しないことを確実にすることにとって重要である。このコンテナの最適化および効率は、輸送および使用中に非常に信頼性がある一方で、過剰な材料を必要とすることなく、コンテナが費用効率的に作製されることにある。
【００５５】
実施形態では、袋（またはポーチ）形状の最終画定は、必要とされる外側シェル形状の具体的な事例に依存する。このコンテナシステムは、多くの形状を可能にする。次いで、ポーチ形状は、空気が閉じ込められて内容物の充填不足をもたらし得る場所で、過剰な材料を持たないように調整される。所与の膜種類について、膜が厚くなるほど、充填時に完全に展開しにくくなる。ポーチの形状は、直線または正方形に限定されない。縁は、湾曲することができ、または外形を有することができる。そのままで使用される現在のポーチはしばしば、生産を容易にするために、単純な直線幾何学形状を有する。骨組シェルの中で機能するように詳述されたポーチの場合、形状は、骨組に印加される力を制御するための重要な方法である。場合によっては、ポーチの「腰部」は、内容物で拡張された場合に、コンテナ（または骨組シェル）の弱い正中線領域上に過剰な力を課さないように、より少ない材料を有することができる。ポーチの長さも重要であり、再度、骨組の形状に依存し、ポーチが短すぎる場合、ポーチが上部フィットメント等のシェルに取り付けられる場所で、過剰な負荷を及ぼし、潰れを引き起こす。接続し、負荷を骨組シェルに分配するためのタブまたは特徴である、ポーチに沿った他の場所を有することができるように、最適化された長さが、これを制御することができる。これらのタブ特徴は、継ぎ目に統合することができる。通常、構造的信頼性のために必要とされるものを越えて、継ぎ目の寸法を最小限に保つことが望ましい。より少ないプラスチックの使用は、環境影響および製造費用を有利に削減する。時には隅にある、または段部あるいは中央平面内にある、ある形成特徴は、ポーチが特定の骨組シェルに適した３次元形状を有することを可能にし、より最適化されたポーチをもたらすことができる。
【００５６】
液体保持袋はまた、継ぎ目（２２０）を備えていることもできる。継ぎ目は、液体保持袋を形成するために使用されるポリマー材料の溶接または接合中に形成することができる。継ぎ目は、液体保持袋の垂直面、水平面、または対角面に沿って形成することができる。本発明の他の実施形態では、継ぎ目は、任意の形状を有することができ、必ずしも液体保持袋の単一の面に沿っている必要はない。継ぎ目は、液体保持袋の重量を低減するよう、最小量のポリマーを有することができる。本発明の他の実施形態では、継ぎ目は、液体保持本体に構造的形状を提供するように設計される。例えば、継ぎ目は、厚くされること、またはガスで充填されるように設計することができ、ガスは、加圧を通して、容器に一体構造を追加し得る。
【００５７】
フィットメントは、種々の方式で袋に取り付けることができる。例えば、フィットメントは、縁部備え付けまたは正面備え付けすることができる。縁部備え付け型フィットメントを伴う枕型袋が、図１６に示されている。縁部備え付け型フィットメント（２７０３）は、枕型袋（２７０１）の縁部に取り付けることができる。袋は、本明細書で説明される任意の他の袋と同様であり得る。それは、袋の膨張を可能にするガセットを有することができる。袋／ポーチは、ポーチ形状とシェル形状との間の効率的な最適化のために、頂面、底面側、ガセット、またはそれらの組み合わせを伴って形成することができる。袋は、プラスチックの単一部品またはプラスチックの複数部品から形成することができる。袋の厚さは、単一の溶接温度および／または時間を使用して、フィットメントに溶接することができるようなものであり得る。枕型袋（２７０１）は、ツイストキャップ等の再密閉可能閉鎖具を有することができる。再密閉可能閉鎖具の他の実施例は、スナップキャップ、蓋、折り目、クリップ、ジッパーグリップ、および接着剤を含む。いくつかの実施形態では、再密閉可能閉鎖具は、骨組を利用し得る。場合によっては、再密閉可能閉鎖具は、骨組に接触し、骨組によって支持され、または骨組は、再密閉機構の一部であり得る。図１６の枕型袋（２７０１）は、水平型充填密閉機を用いて形成および充填することができる。代替として、それは、垂直型充填密閉機、または任意の他の製造および充填方法で充填され得る。
【００５８】
正面備え付け型フィットメントを伴う別の袋が図１７に示されている。実施形態では、正面備え付け型フィットメント（２８０１）は、種々の製造および充填方法を用いて形成される袋の正面に溶接することができるように、設計することができる。実施形態では、正面備え付け型フィットメント（２８０１）は、垂直型充填密閉機を用いて形成される袋の正面に溶接することができるように、設計することができる。正面備え付け型フィットメントは、袋を形成するために使用される膜の同様の厚さまたは溶接温度を有する、セクションまたは部分（２８０３）を有するように設計することができる。本発明のいくつかの実施形態では、正面備え付け型フィットメントおよび袋は、同じポリマー、相溶性ポリマー、または同じ種別のポリマーで製造される。これらの種別は、再利用種別または群であり得る。再利用群は、プラスチック識別コード１、２、３、４、５、６、および７を含むことができる。再利用群は、再利用プロセスの前にプラスチックまたはポリマー種の分離を必要としない再利用プロセスを使用して、一緒に再利用することができる、一組のプラスチックまたはポリマー種を含むことができる。正面備え付け型フィットメントは、閉鎖のためのねじ蓋を有することができ、または本明細書で説明される任意の他の種類の閉鎖具を有し得る。正面備え付け型フィットメントは、本明細書で説明される任意の種類の不正開封防止密閉具を有することができる。
【００５９】
正面備え付け型フィットメントは、種々の方法を使用して袋に取り付けることができる。フィットメントは、袋の形成前に、プラスチックシートに取り付けることができる。袋の形成前のプラスチックシートへのフィットメントの取り付けは、フィットメントとプラスチックシートとの間の取り付けを向上させること、ならびに最終的な袋の形成に対する応力を低減することができる。いくつかの実施形態では、このプロセスは、垂直型充填密閉（ＶＦＦＳ）袋を生産するためのプロセスと一致して行うことができる。代替として、正面備え付け型フィットメントは、ＶＦＦＳプロセスと一致しないプロセスで、プラスチックシート上に設置することができる。当技術分野で公知である任意の製造および充填方法が使用され得る（例えば、水平型充填密閉）。袋形成プロセスからフィットメント取付プロセスを分離することは、袋製造プロセスの複雑化を回避するのに役立つことができる。代替として、フィットメント取付および袋形成プロセスを組み合わせることは、フィットメント取付および袋製造プロセスのための設置面積または必要空間を縮小するのに役立つことができる。いくつかの実施形態では、フィットメントは、ポーチが形成および充填された後または前に、接着ストリップを通して適用することができる。フィットメントは、注入のための液体を放出するように除去された場合に、不正開封防止密閉具が袋を穿孔するように、設計することができる。いくつかの実施形態では、いかなる熱溶接も必要とされず、製造変形の危険性、費用、および二酸化炭素排出量を削減する。正面備え付け型フィットメント（または本明細書で説明される任意の他のフィットメント種類）はまた、袋を取り囲むシェルの側面を形成または強化するのに役立つ特徴を有することもできる。例えば、プラスチックシートを別のプラスチックシートに溶接することによって形成され得る袋の形成の前のプロセスで、フィットメントと、カードと、プラスチックシートとを溶接するか、または別様に組み合わせることができる。カードは、種々の目的で設計することができる。それは、フィットメントとシェルとの間の取付強度を向上させるように、シェルの側面を形成するように、および／またはシェル壁の強度を向上させるように設計することができる。フィットメント（正面備え付け型フィットメント、または袋を閉鎖するために使用することができる任意の他のフィットメント等）は、構造的利益、耐磨耗性領域、および／または摩擦パッドを提供する特徴を有することができる。
【００６０】
ＶＦＦＳプロセス、または袋あるいはポーチを形成するために使用される任意の他のプロセスに使用されるプラスチックは、単一種類のポリマーまたは複数種類のポリマーで作製することができる。プラスチックは、袋内に含まれる材料に対して不透過性または低減した透過性を呈するように選択することができる。例えば、プラスチックは、ポリエチレンであり得る。プラスチックは、様々な密度で生産されているポリエチレンの層を有することができる。
【００６１】
正面備え付け型フィットメントは、それらの全体で参照することにより本明細書に組み込まれる、米国特許第６，２３７，３０８号、第５，２８８，５３１号、第４，７０９，５２８号、第７，０７６，９３５号、第６，８７４，２９９号、第６，８２６，８９２号、第６，７９４，０５３号、第６，２３７，３０８号、第５，３６３，９６６号、および米国特許出願公開第２００６／０１１１２２４号で説明されている。
【００６２】
本発明のいくつかの実施形態では、液体保持袋およびフィットメントは、ポリマーから形成することができる。所与の容量を有する液体保持袋およびフィットメントは、所与の量のポリマーで形成することができる。液体保持袋は、成形繊維またはパルプ形成骨組によって支持することができるため、液体保持袋は、最小量のポリマーで形成することができる。一実施形態では、フィットメント構成要素および容器部分は、薄壁ブロー成形（ＬＤＰＥまたはＨＤＰＥ、あるいはその他）、または予備成形を使用した射出ブロー成形（ＰＰまたはＰＥＴ、あるいはその他）の使用を通した、同じ単一部分であり得る。これらの統合フィットメントおよび容器部分は、裏地とフィットメントとの間の接合プロセスがないため、重複材料を持たない。フィットメントを形成するために使用されるポリマーの量は、本明細書で説明されるフィットメント、または当業者に公知である任意の他の種類の閉鎖具を使用して最小限化することができる。
【００６３】
液体保持袋、首部、および閉鎖具の形成に必要とされるポリマーの量は、液体保持袋および閉鎖具内に含まれる１リットルあたり、４、５、６、７、８、９、１０、１１、１２、１３、１４、１５、２０、２５、または３０グラム未満のポリマーであり得る。所与のコンテナを形成するために使用されるポリマーの量は、分注開口部および液体保持袋が別個の構成要素である場合、これらを形成するために使用されるポリマーの量に分解することができる。コンテナの容量が増大するにつれて、容量基準で、コンテナを形成するために使用されるポリマーの量は減少することができる。これは、閉鎖具の形成のために大量のポリマーが必要であり得るという事実に起因し得る。本明細書で説明されるコンテナの中に含まれる、水の質量に対するプラスチックの質量は、５００ｇの水に対して約６ｇのプラスチック、すなわち１．２％であり得る。
【００６４】
５００ｍＬコンテナについて、閉鎖具は、０．２、０．５、１、２、３、４、５、６、７、８、９、１０、または１５グラム未満のポリマーを含むことができ、液体保持袋は、０．２、０．５、１、２、３、４、５、６、７、８、９、１０、または１５グラム未満のポリマーを含むことができる。
【００６５】
図１および図２に示されるように、液体保持袋およびフィットメントと、閉鎖具と、骨組とを含む、前述の構成要素は、本明細書で説明される他のコンテナで利用することができる。
【００６６】
図３は、液体保持袋（２１０）を取り囲む骨組（１１０）の断面図を示す。液体保持袋は首部（１３０）に取り付けることができ、骨組（１１０）は、首部フランジ（２３０）によって、および骨組フランジ（３３０）によって、首部（１３０）に嵌合され得る。骨組フランジは、保持カラー（１４０）によって、首部フランジに対して保持することができる。保持カラーは、首部に対して適所に留めることができる。首部および／または骨組フランジは、円周または環状フランジであり得る。首部および／または骨組フランジは、相互に嵌合するように成形することができる。例えば、骨組は、フィットメントに相補的であるように成形される、パルプ材料で作製することができる。首部（１３０）はまた、リブ付き開口部（２４０）を備えていることもできる。不正開封防止密閉具（３２０）は、首部の製造中に、首部とともに成形する、首部に溶接する、または首部に接合することができる（図５を参照されたい）。
【００６７】
液体保持袋は、液体保持袋を首部に接合、密閉、または溶接することによって、首部に取り付けることができる。本明細書で説明されるコンテナは、骨組の開口部を通して裏地が引っ張られることを必要としない。本発明のいくつかの実施形態では、液体保持袋は、骨組の開口部を通って延在しない。本明細書で説明されるコンテナは、骨組の開口部を通して引っ張られる裏地を利用することができる。本発明の他の実施形態では、液体保持袋は、骨組の外側部分に取り付けられても取り付けられなくてもよい。いくつかの実施形態では、液体保持袋は、コンテナの構築または解体中に、骨組の開口部を通して引っ張られる、またはそれを通って延在することができるが、コンテナの充填、分配、または使用中に、骨組の開口部を通して引っ張られない、または延在されない。他の実施形態では、液体保持袋は、コンテナの構築または解体中に、骨組の開口部を通して引っ張られるか、またはそれを通して拡張することができ、かつコンテナの充填、分配、または使用中に、骨組の開口部を通して引っ張られるか、または拡張される。
【００６８】
袋は、種々の機構を使用して、シェルに取り付けることができる。これらの機構は、フィットメントによるシェルまたは骨組への袋の取付を含むことができる。フィットメントは、熱、溶接、糊、摩擦、スナップ、係止、クリップ、レール、機械的変形、または当業者に公知である任意の他の機構の使用を通して、シェルに取り付けることができる。
【００６９】
図１８、図１９、図２０、および図２１は、フィットメントまたは受け具部分あるいはプラスチック構成要素を、シェルまたは骨組に取り付けるための機構の実施例を示す。図１８は、フランジによってシェル（２９０１）に取り付けられる、フィットメント（２９０３、斜実線）を示す。フィットメントは、シェルの１つの層と嵌合する、２つのフランジを有する。フランジは、シェルに摩擦嵌めすることができる。フランジはまた、シェルに糊付けするか、または接着剤によって別様に取り付けることができる。いくつかの実施形態では、フィットメントは、接着剤または糊の使用を伴わずに、シェルに取り付けられる。
【００７０】
図１９Ａは、本発明の実施形態による、フランジ（３００１）の機械的変形であり得る、取付部材（本明細書では「外部嵌合特徴」でもある）によってシェルに取り付けられるフィットメント（３００３）を示す。機械的変形は、機械によって、または手動で行うことができる。フランジは、フィットメントの周囲で、またはフィットメントの部分的周囲のみで、円周状に機械的に変形することができる。いくつかの実施形態では、機械的変形は、フィットメントだけ、シェルだけ、またはフィットメントおよびシェルの両方の機械的変形を引き起こし得る。機械的変形は、可逆的または不可逆的であり得る。
【００７１】
図１９Ｂは、本発明の実施形態によれば、１つ以上の取付部材（３０１５）によってシェル（３０１０）に取り付けられるフィットメント（３００５）を有する、コンテナ（３０００）を示す。フィットメント（３００５）およびシェル（３０１０）は、本明細書で提供される任意のフィットメントおよびシェルであり得る。１つ以上の取付部材（３０１５）は、フィットメント（３００５）から形成される機械的変形であり得る。１つ以上の取付部材（３０１５）の各々は、シェル（３０１０）の開口部を通って延在する支柱（本明細書では「取付支柱」でもある）を含み得る。図１９Ｂの上は、シェル（３０１０）の開口部を通って外向きに延在するフィットメント（３００５）から形成される支柱（３０１５）を示す。支柱（３０１５）は、シェル（３０１０）の表面に対して垂直に、または角度を成して延在し得る。図１９Ｂの下は、フィットメント（３００５）に対してシェル（３０１０）を固定し得る、シェル（３０１０）の一部分に対して静置する支柱（３０１５）を示す。支柱（３０１５）は、コンテナ（３０００）の首部領域（３０２０）に位置するシェル（３０１０）の表面に対して、屈曲し、かぎ形に曲がり、または湾曲し得る。例えば、支柱（３０１５）は、首部領域（３０２０）中のシェル（３０１０）の表面に対してかぎ形に曲がってもよい。場合によっては、支柱（３０１５）は、コンテナ（３０００）の基部（図示せず）と平行に、または、例えば、コンテナ（３０００）の基部と平行な平面に対して垂直等の角度を成して、シェル（３０１０）の表面に対して、屈曲し、かぎ形に曲がり、または湾曲し得る。場合によっては、支柱（３０１５）は、コンテナ（３０００）の基部と平行な平面に対して平行に、または、コンテナ（３０００）の基部と平行な平面に対して約５°、または１０°、または１５°、または２０°、または２５°、または３０°、または３５°、または４０°、または４５°、または５０°、または５５°、または６０°、または６５°、または７０°、または７５°、または８０°、または８５°、または９０°の角度を成す等の角度を成して、シェル（３０１０）の表面に対して、屈曲すし、かぎ形に曲がり、または湾曲して、それに取り付き得る。他の場合においては、取付部材（３０１５）は、シェル（３０１０）に取り付けられる複数の支柱を含み得る。そのような場合において、取付部材（３０１５）は、相互に重複してもよく、または相互に取り付けられ得る。
【００７２】
取付部材（３０１５）の各々は、シェル（３０１０）の穴、スロット、またはスリットから外へ延在し、穴、スロット、またはスリットの角の周囲で屈曲し、湾曲し、またはかぎ形に曲がり、シェル（３０１０）の表面に対して静置し得る。場合によっては、フィットメント（３００５）は、図１９Ｂの上に図示されるように、シェル（３０１０）を覆って静置するリブまたはレッジを含み得る。リブは、示されるように、キャップがフィットメント（３００５）と嵌合した場合にキャップの下側に静置する。図１９Ｂの下に示されるように、支柱（３０１５）は、シェル（３０１０）の表面に対して静置し、フィットメント（３００５）のリブまたはレッジの下面に形成された溝と接触している。溝は、支柱（３０１５）がシェル（３０１０）の表面から離れることを防ぎ得る。
【００７３】
支柱（３０１５）は、円形、三角形、正方形、長方形、五角形、六角形、七角形、または八角形の断面を有し得る。支柱（３０１５）は、約０．１インチから１インチ、または０．２インチから０．５インチの間の（その最短寸法に沿った）厚さ、および約０．１インチから１インチ、または０．２インチから０．５インチの間の（その最長寸法に沿った）長さを有し得る。
【００７４】
支柱等の取付部材（３０１５）は、シェルに形成された穴、スロット、またはスリットにおいて、シェル（３０１０）から延在（または突出）し得る。いくつかの状況では、取付部材（３０１５）は、シェル（３０１０）における単一の場所に形成された穴、スロット、またはスリットにおいて、シェル（３０１０）から延在し得る。他の状況では、取付部材（３０１５）は、シェル（３０１０）の複数の穴、スロット、またはスリットにおいて、シェル（３０１０）から延在し得る。
【００７５】
場合によっては、支柱を含む取付部材（３０１５）は、フィットメント（３００５）から形成され得る。つまり、取付部材（３０１５）は、フィットメント（３００５）と一体（または単一部品）であり得る。例えば、フィットメント（３００５）および取付部材（３０１５）は、プラスチック等のポリマー材料から形成され得る。フィットメント（３００５）および取付部材（３０１５）は、射出成形または押出成形によって形成され得る。他の場合においては、取付部材（３０１５）は、フィットメント（３００５）とは別の１つ以上の材料から形成され得る。例えば、フィットメント（３００５）は、第１のポリマー材料で形成され、取付部材（３０１５）は、第２のポリマー材料、金属材料（例えば、アルミニウム）、またはポリマーおよび金属のうちの１つ以上を含み得る複合材料で形成され得る。
【００７６】
図２０および図２１は、ヒートステーク（３１０３、３２０１、３２０３）を使用してシェルに取り付けることができる、フィットメント（３１０１）を示す。ヒートステークは、フィットメントからシェルを通って延在することができる。シェルは、ヒートステークがシェルを通って延在することを可能にする、予備穿設、予備形成、または予備成形された穴、ダイカット穴、スロット、またはスリットを有することができ、あるいは、シェルを通して、またはシェルの成形特徴を通して、またはシェルのより薄い領域を通して、ヒートステークを貫通させることができる。ヒートステークは、フィットメントの周囲で円周状または放射状に配置することができ、あるいはフィットメントの部分的周囲のみに位置付けることができる。フィットメントは、約１、２、３、４、５、６、７、８、９、１０、またはそれ以上の数、その数未満、または少なくともその数である、ステークによって、シェルに取り付けることができる。ステークは、フィットメントの他の部分と同じ、または異なる材料から作製することができる。例えば、ステークは、フィットメントと同じプラスチックで作製することができる。ヒートステークは、フィットメントと一体的であり得る。ステークは、熱によって、または超音波エネルギー導波器によって融解または変形させることができる、プラスチックで作製することができる。プラスチックの融解または変形は、フィットメントとシェルとの間の確実な取付を可能にすることができる。融解または変形したステークは、任意の形状を形成することができる。例えば、融解または変形したステークは、リベット状の頭部を形成することができる。ある実施形態では、フィットメントは、シェル部分の中にある穴を通して、骨組シェルまたは骨組シェルの一部に嵌合することができる。次いで、フィットメントは、内側から挿入し、例えば、接着剤、フィットメントフランジへのパルプの機械的変形、溶接、および／または外側から設置された保持リングを用いて、骨組シェルに接続することができる。
【００７７】
また、液体保持袋は、複数の積層された層で形成され得る。積層された層は、酸素、水蒸気、または他の材料が容器を出入りするのを防止する、任意の材料であり得る。積層された層は、同じまたは異なる材料から形成することができる。いくつかの構成において、液体保持袋は、媒体によって相互から分離される、１つ、２つ、３つ、またはそれ以上のポリマーの層で形成することができる。層を分離する媒体は、ガス、空気、水蒸気、液体、または任意の他の材料であり得る。ポリマーの層は、同じまたは異なるポリマーであり得る。分離は、層のうちの１つ以上の中の隆起または凹みによって促進することができる。ポリマーの複数層を有することで、酸素、水蒸気、または他の材料が容器を出入りする速度を低減することができる。
【００７８】
首部は、首部および液体保持袋を支持するように、１つ以上のフランジを有し得る骨組に嵌合する、１つ以上のフランジを有することができる。一連の首部および骨組フランジは、液体保持袋の重量およびその中の液体内容物を支持するように、骨組と液体保持袋との間の接着剤を含まない接続を提供することができる。首部および／または骨組フランジは、首部領域に形成することができ、より重くより大きい袋のための支持を提供することができる（図４を参照されたい）。
【００７９】
保持カラーは、首部を骨組に保持することができる。保持カラーは、骨組および首部の両方の周囲に摩擦嵌めを提供し得る。これは、骨組内の袋の回転を防止または最小限化し得る。
【００８０】
首部は、骨組の最上部分に位置付けることができる。液体保持袋およびその中の内容物は、首部と骨組フランジとの間の取り付けによって、骨組内に吊り下げられることができる。液体保持袋の重量およびその中の液体内容物は、首部および骨組フランジによって支持することができ、それは、首部が骨組の中に落ちるのを防止することができる。
【００８１】
図３に示されるように、骨組はまた、骨組の部品を一緒に接続する、または閉鎖位置で骨組を固定するための相互係止（３１０）を備えていることもできる。骨組はまた、液体保持袋の内容物を視認するための開口部（１２０）を備えていることもできる。
【００８２】
図３に示されるフランジおよび相互係止は、本明細書で説明される任意のコンテナで利用することができる。
【００８３】
図４は、首部領域の付近に支持特徴を伴うコンテナの断面を示す。例えば、骨組は、１つ以上のリブ（４１０）を備え得る。そのようなリブは、骨組の構造により多くの強度を提供し、液体保持容器の重量を支持するのにコンテナの首部領域を支援し得る。場合によっては、リブは、繊維またはパルプ成形等の骨組と同じ材料を含み、かつ骨組と同じ部品の中に成形され得る一方で、他の場合においては、材料は、骨組とは異なる材料を含み、または何らかの形で骨組に接着され、取り付けられ、または統合される別個の部品であり得る。リブは、コンテナの首部領域を支持し得る、異なる配置および構成を含み得る。図４に示されるリブは、本明細書で説明されるコンテナのうちの任意のもので利用することができる。
【００８４】
本発明のいくつかの実施形態では、ガセット、タブ、または骨組の首部領域を補剛し得る他の支持特徴が、使用され得る。
【００８５】
図５Ａは、首部（１３０）内に位置する、一体的に成形された不正開封防止密閉具（３２０）の説明図を示す。保持カラー（１４０）はまた、固定線（１５０）に取り付けることもできる。固定線はまた、キャップに取り付けることもできる。保持カラー（１４０）、固定線（１５０）、およびキャップ（１６０）はまた、１つの部分として成形することもでき、または保持カラー（１４０）は、別個の部品として独立して成形され得る。図５Ａは、キャップが開いており、不正開封防止密閉具が閉じられている、保持カラー（１４０）、固定線（１５０）、およびキャップ（１６０）を伴うコンテナの図を示す。
【００８６】
図５Ｂは、本発明の実施形態による、首部（５０５）およびシェル（５１０）を有する、コンテナ（５００）を示す。首部（５０５）は、本明細書で提供される任意のフィットメントであり得る、フィットメント（５１２）を含む。コンテナ（５００）は、シェル（５１０）をフィットメント（５１２）に取り付けられた状態で保ち得る保持カラー（５１５）を含み得る。保持カラー（５１５）は、コンテナ（５００）のシェル（５１０）およびフィットメント（５１２）から独立し得る。場合によっては、保持カラー（５１５）は、フィットメント（５１２）およびシェル（５１０）のうちの１つ以上と一体であり得る。例えば、保持カラー（５１５）は、シェル（５１０）から形成され得る。別の実施例として、保持カラー（５１５）は、フィットメント（５１２）から形成され得る。別の実施例として、保持カラーは、閉鎖具／キャップと一体であり、キャップがユーザによって除去される場合に、キャップは、保持カラーから離脱し、保持カラーは、瓶とともにとどまり、したがって、シェルをフィットメントに保持し、内容物への最初のアクセスのためにユーザによって分離される必要があるいたずら防止（または不正開封防止）特徴としての機能を果たすという二重機能を果たす。保持カラー（５１５）は、保持カラー（５１５）をフィットメント（５１２）に保持し得る、スナップ部材（５２０）を含み得る。スナップ部材（５２０）は、保持カラー（５１５）の表面からの突出部であり得る。突出部は、図示されるように、シェル（５１０）に向かって内向きに突出し、フィットメント（５１２）のレッジまたはリブの下部分に対して静置するようになる。
【００８７】
シェル（５１０）は、保持カラー（５１５）によって定位置で保持され得る。場合によっては、保持カラー（５１５）は、首部（５０５）においてシェル（５１０）の一部分をフィットメント（５１２）に隣接して保ち得る。スナップ部材（５２０）は、保持カラー（５１５）がフィットメント（５１２）およびシェル（５１０）に固定して取り付けられたままになることを可能にする。場合によっては、保持カラー（５１５）は、シェル（５１０）をフィットメント（５１２）に除去不可能に取り付けられた状態で保ち得る。シェル（５１５）は、コンテナ（５００）のコンテナ保持袋（５２５）を封入し得る。
【００８８】
保持カラー（５１５）は、シェル（５１０）およびフィットメント（５１２）に対して移動可能であり得る。いくつかの状況では、保持カラー（５１５）は、シェル（５１０）およびフィットメント（５１２）に関して回転可能であり得る。ユーザは、コンテナ（５００）の基礎と平行な平面に沿って保持カラー（５１５）を回転させることができ得る。
【００８９】
場合によっては、保持カラー（５１５）は、円形であり得る。場合によっては、保持カラー（５１５）は、例えば、三角形、正方形、長方形、五角形、六角形、七角形、または八角形等の他の幾何学形状を有し得る。保持カラー（５１５）は、単一部品であってもよく、または２つ以上の部品で形成され得る（すなわち、多部品であり得る）。多部品構成は、場合によっては、コンテナ（５００）への保持カラー（５１５）の組立を可能にし得る。
【００９０】
保持カラー（５１５）は、約０．１インチから１インチの間、または約０．２インチから０．５インチの間の厚さを有し得る。保持カラー（５１５）は、プラスチック等のポリマー材料、または、金属、プラスチック、またはパルプ等の細胞物質のうちの１つ以上を含み得る複合材料等で形成され得る。保持カラー（５１５）は、円形である場合、約０．５インチから８インチの間、または約１インチから３インチの間の直径を有し得る。保持カラーは、付加目的のために、収縮スリーブ材料またはプラスチックでできている膜材料のバンドであり得、バンドは、組立中に印加される熱で収縮する。その収縮状態で、バンドは、シェル部品をフィットメントに統一する働きをし得る。
【００９１】
本発明の別の側面は、二尖弁またはダックビル弁を組み込む、複数種の閉鎖具を有するコンテナを提供する。二尖弁は、弁に噛み付くことによって、または弁の側面を圧縮することによって、破る、または開くことができる。「ダックビル」型弁は、休止または通常状態で、弁を閉鎖して密閉することができるという点で、心臓（二尖）弁と同様であり得る。首部の長い側面に対する圧力下で、ダックビル弁穴縁は、外向きに屈曲して移動し、容器の内側と外側との間の液体または流体連通の自由通路を生成することができる。弁は、容器の配送および取り扱い中に弁が確実に密閉されることを可能にするような方式で、生産することができる。エンドユーザの意図的な動作に応じて、密閉具を破ることができ、閉鎖具の首部内で一体的に成形される不正開封防止密閉具を提供する。不正開封防止密閉具は、廃棄されて一般ごみであり得る、いかなる弛緩した部分も生成することなく、破ることができる。
【００９２】
構造筐体は、第１の回転配向で首部の側面に圧力を提供し、弁を開かせて流体が首部を通過することを可能にする、特徴を組み込むことができる。別の回転配向では、構造筐体は、この圧力を及ぼさず、この他の配向では、弁は閉じられる。一実施形態では、開放および閉鎖位置の間の相対角度は、１０度から１８０度の間の任意の角度であり得る。本発明のいくつかの実施形態では、開放および閉鎖位置の間の角度は、約１０、３０、５０、７０、９０、１１０、１３０、１５０、１７０、１９０、２１０、２３０、２５０、２７０、２９０、３１０、３３０、または３５０度である。
【００９３】
本発明のいくつかの実施形態では、コンテナは、フィットメントを有するポーチまたは袋をパルプ成形シェルに嵌合することによって組み立てることができる。フィットメントは、任意の充填デバイスまたはプロセスによる充填のために使用することができる、オリフィスを有することができる。オリフィスは、キャップをフィットメントに取り付ける、または固定することによって密閉することができる。キャップは、ねじ付き閉鎖具であり得、また、不正開封防止密閉具を含み得る。コンテナの組立プロセスおよび／または充填プロセスは、自動化され得る。
【００９４】
ねじ付きまたは摩擦嵌めキャップまたはストッパは、不正開封防止密閉具を形成するような方法で、中央首部または開口部と一緒に成形することができる。キャップまたはストッパは、通常のユーザがキャップまたはストッパを容易に引き裂くことを可能にするように、十分薄く成形される開口部への接続を有することができる。キャップまたはストッパは、コンテナに向かった移動を防止することができ、それによって、非圧縮性部分によって密閉具を破ることができる。非圧縮性部分は、キャップまたはストッパの変位を防止するように位置することができる。
【００９５】
コンテナは、膜または他の薄くて軽量な材料から形成される、閉鎖具を備えていることができる。閉鎖具は、容器の開放端に密閉されることができ、水密性密閉具を形成する。閉鎖具は、縁から、または膜の平面から、膜から離れて延在する自由タブを使用して、容器の開放端から剥離することによって、容易に除去することができる。
【００９６】
閉鎖具は、容器の内側と外側との間の連通を可能にする開口部を作成するように、閉鎖具部分の境界内の所定の破断経路に沿って引き裂くことによって開くことができる。
【００９７】
本発明のいくつかの実施形態では、閉鎖具部分の一部分は、容器の開放端に接合されたままとなることができる。
【００９８】
容器は、雄ねじ山を伴うストッパの確実な設置を可能にするように、雌ねじ山を伴って形成することができる。容器は、再密閉用の圧入閉鎖具またはキャップの確実な設置を可能にする、外側フランジ特徴を伴って形成することができる。筐体は、縦ヒンジ軸を伴うクラムシェルとして成形することができる。
【００９９】
図６は、繊維またはパルプ成形体（１１０）と、液体保持袋（２１０）とを備えている、コンテナの断面図である。液体保持袋は、開口部（１９４０）を有することができ、分注開口領域および材料保持領域は、単一部分の異なる特徴である。開口部は、フランジ（２３０）と、穴縁（１９１０）とを有することができる。フランジおよび穴縁は、液体保持袋の開口部の追加構造強化のために、繊維またはパルプ成形本体上に留まることができる。いくつかの実施形態では、フランジおよび穴縁は、本体上に留まるために、液体保持袋の他の部分よりも構造的に剛体であり得る。不正開封防止密閉具（１９２０）は、液体保持袋の開口部を覆って密閉することができる。繊維またはパルプ成形本体による開口部の強化は、不正開封防止密閉具を繊維またはパルプ成形本体から引き離すことによって、不正開封防止密閉具の除去を可能にすることができる。本発明のいくつかの実施形態では、開口部は、液体保持袋の再密閉可能な閉鎖具のためのリブまたはねじ山（１９３０）を備えていることができる。
【０１００】
図７は、コンテナの開口部を覆って配置される不正開封防止密閉具（１９２０）を備えている、コンテナの説明図を示す。不正開封防止密閉具は、コンテナからの不正開封防止密閉具の除去を促進するためのフラップ（２０１０）を備えていることができる。
【０１０１】
図８は、蓋（２１１０）を伴う、図６に示されるコンテナの略図を示す。蓋は、穴縁（２１２０）によって、繊維またはパルプ成形本体（１１０）を覆ってスナップ式で閉じることができる。
【０１０２】
本明細書で説明される任意のコンテナは、図６、図７、および図８に示される閉鎖具を備えていることができる。
【０１０３】
図９は、可撓性液体コンテナの説明図であり、可撓性コンテナは、閉鎖具（２２３０）と、容器（２２１０）と、首部分（２２２０）とを備えている。閉鎖具は、首部分の中に配置される二尖弁であり得る。閉鎖具は、最初の噛み付きによって破られ得る不正開封防止密閉具特徴を有することができる。閉鎖具は、キャップまたはストッパを有することができる。本発明のいくつかの実施形態では、閉鎖具は、液体が可撓性液体コンテナから退出する場合に、ガスが可撓性コンテナに進入しないように設計される、弁を有する。液体の一方向の輸送は、可撓性液体コンテナ内に含まれ、または貯蔵される液体の汚染を防止することができる。
【０１０４】
図１０は、繊維またはパルプ成形骨組（１１０）と、液体保持袋（２１０）とを有する、コンテナの説明図である。１つの構成において、骨組は、開放位置で形成することができる、クラムシェル型の形状を有する。骨組は、骨組の開放および閉鎖を可能にする、１つ以上のヒンジ（２３２０）を有することができる。骨組は、液体保持袋の周囲で閉鎖することができ、液体保持袋の分注開口部は、開口部（２３１０）を通して骨組から突出することができる。骨組は、液体保持袋の周囲に完全かつ確実な閉鎖を提供する、または提供するのを補助するように、骨組（１１０）の開口縁部に沿って位置付けられる、スナップまたは相互係止特徴を有することができる。液体保持袋（２３０）のフィットメントは、液体保持袋の重量を支持することができる骨組上のフランジ（３３０）と相互係止することができる。骨組はまた、液体保持袋を確実に支持するように、リブまたは強化材等の特徴を有することができる。コンテナは、再利用および処分のために分離する目的で、またはコンテナを再装填する（例えば、空の袋を満杯の袋と置換する）目的で、液体保持袋を除去するように、エンドユーザによって開くことができる。コンテナは、骨組を再使用することができるように、分解することができる。コンテナの分解は、骨組が破壊または壊されないように行うことができる。骨組は、コンテナを再装填した後の再閉鎖のために構成することができる。骨組は、ラッチ、ヒンジ、接着剤、ラベル、または任意の他の方式を使用して、再閉鎖することができる。骨組シェルは、再装填されたポーチと交換された場合に、使用のために再密閉することができる。
【０１０５】
図１１は、コンテナの説明図であり、コンテナは、骨組と、液体保持袋とを有し、骨組は、液体保持袋からの骨組の解体または分離を促進する特徴を有する。そのような特徴は、穴（２４１０）、タブ、穿孔（２４３０、２４２０）、破断帯、引き帯、折り目、ラベル、埋め込まれた糸状の部品、または当業者によって着想され得るような他の特徴を含み得る。ユーザは、指または他の物体をコンテナの破壊用の穴に挿入することができる。代替として、コンテナの破壊を引き起こすように、引き帯を引くことができる。引き帯は、より高い密度の紙または有機堆肥にできるひもで作製することができる。引き帯は、挿入成形する、被覆成形する、または骨組シェルの成形後に追加することができる。該特徴とのユーザ相互作用は、２つの部品がもはや接続されないような程度に、骨組を損傷させるか、または液体保持袋から分離させることができる。いったん分離されると、部品を正しい再利用の流れに方向付けることができる。
【０１０６】
実施形態では、骨組シェルからフィットメントおよびポーチ等のプラスチック部品を除去するための別の方法は、力を使用して、骨組シェルからキャップ／フィットメントをねじって外す、または引き出すことによることができる。フィットメントがねじ付きキャップ／フィットメントである、実施形態では、骨組シェルへのフィットメントの接続は、キャップ付け機の力、不正開封防止密閉具を破ることを含むユーザが最初にキャップを除去する力、およびユーザによって生成されるキャップを再び付ける、およびキャップを外す妥当な力に耐えるのに十分となる必要がある。この性能力を越えて、フィットメントは、再利用または処分のために骨格シェルからのポーチおよびフィットメントの分離を促進するように、筐体から離れて自由になるか、またはねじれると期待することができる。実施形態では、フィットメントが耐えるべきであるトルク力は、約３０インチポンド（ｉｎ．ｌｂｓ）以上、または３５ｉｎ．ｌｂｓ以上である。スナップキャップ等の回転が適用されないフィットメントについては、同じ原則を適用することができ、フィットメントに印加される任意の軸でのある数のｌｂｓの力に耐え、放出するためになされる力を越えることが必要がある。これらの量は、生産方法と、コンテナサイズならびにフィットメントのサイズおよび種類とに応じて、異なることができる。
【０１０７】
本明細書で説明される任意のコンテナ（例えば、液体保持コンテナまたは容器）であり得る、コンテナは、非液体材料を保持するために使用することができる。非液体材料は、粉末、固体、および／またはガスを含むことができる。コンテナは、任意の容量の材料を保持するように設計することができる。本発明のいくつかの実施形態では、コンテナは、約０．０１、０．１、０．２、０．２５、０．３、０．３５、０．４、０．４５、０．５、０．６、０．７、０．７５、１、１．２５、１．５、１．７５、２、２．２５、２．５、２．７５、または３リットルの容量、最高でこれらの容量、またはこれらより大きい容量を保持することができる。本発明のいくつかの実施形態では、コンテナは、約０．１、０．１５、０．２、０．２５、０．３、０．３５、０．４、０．４５、０．５、０．６、０．７、０．７５、０．８、０．９、または１ガロンの容量、最高でこれらの容量、またはこれらより大きい容量を保持することができる。コンテナは、約２Ｌ以下の容量を保持するように設計することができる。
【０１０８】
図２２および２３Ａ−２３Ｆは、本発明の種々の実施形態による、骨組によって支持される液体保持袋を有する、液体コンテナを図示する。図２３Ａ−２３Ｆは、図２２の液体コンテナの種々の図を図示する。
【０１０９】
図２２は、骨組または外側シェル（骨組シェルでもある）（３３１０）内に液体保持袋（図示せず）を備えている、液体コンテナ（３３００）を図示する。液体保持袋は、例えば、図１６と関連して上記で説明される液体保持袋等の、本明細書で説明される任意の液体保持袋であり得る。骨組（３３１０）は、第１の嵌合点（３３１３）で接合される、第１の部分（３３１１）と、第２の部分（３３１２）とを備えている。代替実施形態では、骨組は、単一の部品である。いくつかの実施形態では、骨組（３３１０）は、液体保持袋を支持するように構成されている。実施形態では、骨組（３３１０）は、液体保持袋からの骨組の解体または分離を促進する特徴（上記参照）を含む。実施形態では、骨組（３３１０）は、成形繊維骨組である。別の実施形態では、骨組（３３１０）は、パルプ形成骨組である。なおも別の実施形態では、骨組（３３１０）は、繊維性材料（例えば、天然繊維）、生物分解性材料、または堆肥にできる材料で形成することができる。実施形態では、液体保持袋は、可撓性ポリマー等のポリマーまたはポリマー材料で形成することができる。実施形態では、液体保持袋は、光学的に透明な材料で形成することができる。
【０１１０】
図２２を引き続き参照すると、液体コンテナ（３３００）はさらに、キャップ（３３１５）と、ユーザによってコンテナを把持または握持するための第１の把持または握持領域（３３２０）とを備えている。第１の把持領域（３３２０）は、ユーザの親指または指がコンテナ（３３００）を握持する、または取り扱うことを可能にする、第１のくぼみ（３３２５）と、１つ以上の隆起（３３３０）または一組の隆起を備えている。図示した実施形態のコンテナ（３３００）は、液体コンテナの両側に２つの隆起を有する、把持領域（３３２０）を備えている（以下を参照）。
【０１１１】
図２３Ａおよび２３Ｂの図示した実施形態等の実施形態では、液体コンテナ（３３００）は、第１の把持領域（３３２０）に加えて、第２の把持領域（３３２１）を備えている。代替実施形態では、液体コンテナ（３３００）は、両方ではないが、第１の部分（３３１１）または第２の部分（３３１２）のいずれか一方の上に把持領域を備えている。
【０１１２】
実施形態では、把持領域の各々は、１以上、または２以上、または３以上、または４以上、または５以上、または１０以上、または２０以上の隆起を備えていることができる。加えて、把持領域の各々は、複数組の領域を備えていることができる。実施形態として、第１の把持領域（３３２０）は、３つの領域を含むことができる。実施形態では、把持領域の各々は、１以上、または２以上、または３以上、または４以上、または５以上、または１０以上、または２０以上のくぼみを備えていることができる。実施形態として、第１の把持領域（３３２０）は、２つの隣接するくぼみを含むことができる。
【０１１３】
図２２を引き続き参照すると、液体保持袋のカラーまたは首部部分（３３３５）を備えている、フィットメントは、骨組（３３１０）より上側に延在する。そのような場合において、第１の部分（３３１１）および第２の部分（３３１２）が第１の嵌合点（３３１３）で接合されると、カラー部分（３３３５）は、骨組（３３１０）より上側に配置される。代替実施形態では、液体保持袋のカラー部分（３３３５）を排除することができる。
【０１１４】
実施形態では、第１の部分（３３１１）および第２の部分（３３１２）は、同じ容量または異なる容量であり得る。実施形態では、第１の部分（３３１１）および第２の部分（３３１２）の各々は、液体保持袋の同等またはほぼ同等の容量を収納するように構成されている。別の実施形態では、液体保持袋の異なる容量が各部分位収納されるように、第１の部分（３３１１）および第２の部分（３３１２）のサイズおよび容量は異なり得る。
【０１１５】
図２３Ａおよび２３Ｂは、本発明の実施形態による、図２２の液体の対向側面を概略的に図示する。図２３Ａおよび２３Ｂの図示した実施形態では、第１の部分（３３１１）は、第１の把持領域（３３２０）を備え、第２の部分（３３１２）は、第２の把持領域（３３２１）を備え、第１および第２の把持領域（３３２０）および（３３２１）の各々は、くぼみおよび２つの隆起（または一組の隆起）を有する。第１の把持領域（３３２０）は、第１のくぼみ（３３２５）と、第１の組の隆起（３３３０）とを備え、第２の把持領域（３３２１）は、第２のくぼみ（３３２６）と、第２の組の隆起（３３３１）とを備えている。各組の隆起が、図示されるように、２つの隆起を備えている一方で、各部分（３３１１）および（３３１２）は、任意の数、形状、および構成のくぼみおよび隆起を含むことができる。代替実施形態では、両方ではないが、第１の部分（３３１１）または第２の部分（３３１２）のいずれか一方が、把持領域を備えている。そのような場合において、把持領域を伴わない部分は、くぼみおよび領域の代わりに平面を有することができる。場合によっては、くぼみを除外し、隆起のみを有することが望ましい場合がある。代替実施形態では、液体コンテナ（３３００）は、把持領域を含まない。
【０１１６】
図２３Ａおよび２３Ｂを参照すると、使用中に、ユーザは、液体コンテナ（３３００）から液体を分注するように把持領域を握持することができる。実施形態では、把持領域（３３２０）および（３３２１）を有する液体コンテナを用いると、ユーザの親指が、第１の把持領域（３３２０）および第２の把持領域（３３２１）の一方を握持し、ユーザの残りの指のうちのいくつかまたは全てが、第１の把持領域（３３２０）および第２の把持領域（３３２１）の他方を握持するような方式で、ユーザは、液体コンテナ（３３００）を握持することができる。例えば、ユーザがユーザの右手で液体コンテナ（３３００）を保持する場合、ユーザは、第１の把持領域（３３２０）上のユーザの右親指および第２の把持領域（３３２１）上のユーザの他の指で、液体コンテナ（３３００）を握持する場合がある。
【０１１７】
実施形態では、把持領域は、液体コンテナ（３３００）の取扱中に、ユーザの筋肉および腱のひずみを最小限化するように構成されている。実施形態では、ユーザが１つ以上の把持領域中で液体コンテナ（３３００）を握持すると、ユーザは、液体コンテナ（３３００）を圧着することなく液体コンテナ（３３００）を持ち上げることができる。したがって、１つ以上の把持領域は、ユーザの手の応力およびひずみを最小限化しながら、液体コンテナ（３３００）の取扱に役立つ。
【０１１８】
図２３Ａおよび２３Ｂを引き続き参照すると、把持領域（３３２０）および（３３２１）は、任意の形状および構成を有することができる。実施例として、把持領域は、円形、三角形、または箱形であり得る。加えて、把持領域は、任意の深さを有することができる。場合によっては、くぼみおよびくぼみの中の隆起とともに把持領域を有することが望ましい場合がある。
【０１１９】
図２３Ｃおよび２３Ｄは、本発明の実施形態による、図２２の液体コンテナ（３３００）の対向側面を概略的に図示する。骨組（３３１０）の第１の部分（３３１１）および第２の部分（３３１２）は、第１の嵌合点（３３１３）および第２の嵌合点（３３４０）で接合される。実施形態では、液体コンテナ（３３００）の組立前に（すなわち、コンテナ（３３００）を形成するように骨組（３３１０）に液体保持袋を封入する前に）、骨組（３３１０）は、第１の嵌合点（３３１３）ではなく、第２の嵌合点（３３４０）で接合される第１の部分（３３１１）および第２の部分（３３１２）を備えている。そのような場合において、コンテナ（３３００）の組立中に、第１および第２の部分（３３１１）および（３３１２）は、引き合わせられ、液体保持袋（または液体保持コンテナ）を取り囲むように第１の嵌合点（３３１３）で接合される。別の実施形態では、液体コンテナ（３３００）の組立前に、骨組（３３１０）は、第２の嵌合点（３３４０）ではなく第１の嵌合点（３３１３）で接合される、第１の部分（３３１１）および第２の部分（３３１２）を備えている。なおも別の実施形態では、液体コンテナ（３３００）の組立前に、第１の部分（３３１１）および第２の部分（３３１２）は、嵌合点（３３１３）および（３３４０）のいずれにおいても接合されない。そのような場合において、コンテナ（３３００）は、第１の部分（３３１１）および第２の部分（３３１２）のそれぞれに液体保持袋を封入することによって、それに続いて、第１および第２の嵌合点（３３１３）および（３３４０）で第１および第２の部分（３３１１）および（３３１２）を接合することにより骨組（３３１０）を形成することによって、組み立てることができる。いくつかの実施形態では、第１の嵌合点（３３１３）は、図２３Ａに示されるように突出し得る。他の実施形態では、第１の嵌合点は、突出する必要はなく、または余分なフラップを提供することなく納まり得る。例えば、第１の嵌合点（３３１３）は、第２の嵌合点（３３４０）のように平坦に納まり得る。
【０１２０】
図２３Ｅおよび２３Ｆは、本発明の実施形態による、図２２の液体コンテナ（３３００）の上面図および底面図を概略的に図示する。図２３Ｅを参照すると、液体コンテナ（３３００）は、液体保持袋（図示せず）を密閉するキャップ（３３１５）を備えている。液体コンテナ（３３００）の骨組（３３１０）は、液体保持袋を取り囲む第１の部分（３３１１）および第２の部分（３３１２）を備えている。第１および第２の部分（３３１１）および（３３１２）は、第１の嵌合点（３３１３）および第２の嵌合点（３３４０）で接合される。図２３Ｆに示されるように、第１の部分（３３１１）は、第２の部分（３３１２）の一部に重複し得る。例えば、第１の部分の底部の一部は、第２の部分の一部を覆って延在し得る。いくつかの実施例では、重複を引き起こすフラップまたは縁が提供され得る。図２３Ｅおよび２３Ｆを参照すると、液体コンテナ（３３００）の最上および底部分は、長方形の構成を有し、液体コンテナ（３３００）の幅は液体コンテナ（３３００）の長さよりも大きい。実施形態では、液体コンテナ（３３００）は、上側および下側から視認した場合に、円形、三角形、正方形、または長方形等の任意の形状を有することができる。
【０１２１】
図２２および２３Ａ−Ｆを参照すると、液体コンテナ（３３００）は、任意のサイズおよび形状を有することができる。実施例として、液体コンテナ（３３００）は、円筒形であり得る。別の実施例として、液体コンテナ（３３００）は、三角形であり得る。なおも別の実施例として、液体コンテナ（３３００）は、同じ、または実質的に同様である長さ、高さ、および幅を有する、箱形であり得る。ある実施形態では、液体コンテナ（３３００）の最上部分は、液体コンテナ（３３００）の底部分とは異なるサイズおよび形状を有することができる。
【０１２２】
実施形態では、キャップ（３３１５）は、液体保持袋と外部環境との間に気密（または密封）密閉を形成するように構成されている。液体コンテナ（３３００）のフィットメントは、再密閉可能な閉鎖具、ツイストキャップ、スナップキャップ、蓋、ジッパー、折り目、接着剤、クリップ、または当技術分野で公知である、または後に開発される任意の他の再密閉可能な機構であり得る。いくつかの実施形態では、再密閉可能な閉鎖具は、液体コンテナの骨組によって支持され、骨組に接触し、または骨組を使用し得る。
【０１２３】
実施形態では、骨組（３３１０）によって取り囲まれる液体保持袋は、任意の形状を有することができる。実施形態では、液体保持袋は、骨組（３３１０）と同様に成形することができる。液体保持袋は、骨組と袋との間の瓶の内部空洞を最小限化するように成形され得る。液体保持袋は、骨組の内面の一部分または大部分に接触するように成形され得る。別の実施形態では、液体保持袋は、材料の使用を最小限化するよう成形することができる（上記参照）。
【０１２４】
実施形態では、コンテナは、費用を削減し、他の前述の包装技術に競合するために、高速生産ラインおよび高速充填ライン上で作製することができる。ある実施形態では、コンテナまたはボトルは、充填前に完全に組み立てることができる。ポーチは、フィットメント挿入機を伴って、または伴わずに、水平形成機で作製することができる。ポーチは、他の公知の機械で作製することができる。次いで、それらは、骨組シェルに組み込まれる。ポーチまたはシェルのいずれか一方、または両方は、自動組立を促進するように１つ以上の特徴を有することができる。次いで、フィットメントを伴う骨組シェルおよびポーチが組み立てられる。コンテナが標準の瓶と同様に充填する、標準瓶詰めラインを使用することができる。そのような場合において、骨組および液体保持袋等の本発明の実施形態の種々の構成要素は、既存の標準瓶詰めラインに統合することができ、それにより、既存の瓶充填ライン機器およびインフラストラクチャを利用する。他の実施形態では、ポーチおよびフィットメントは、水平型充填機または垂直型充填機のいずれか一方の上を走り、充填することができる。次いで、これらの充填されたポーチは、製品コンテナを完成させるように、骨組シェルに組み立てることができる。
【０１２５】
本発明の実施形態のコンテナは、材料費用を最小限化し、したがって、使用後の廃棄物の削減に役立つように設計することができる。加えて、材料は、環境影響を最小限化するよう選択することができる。例えば、骨組は、生物分解性材料で形成することができる。
【０１２６】
本発明の実施形態のコンテナは、例えば、フルーツジュース（例えば、リンゴジュース、オレンジジュース、グレープジュース）、牛乳、炭酸を含む液体（例えば、ソーダ飲料）、ワイン、ビール、および水等の種々の液体を貯蔵および分注するために設計することができる。ワインの場合、本発明の実施形態の種々のコンテナは、カラフの形状の骨組を含むことができる。
【０１２７】
いくつかの実施形態では、コンテナは、永久コンテナであり得る。いくつかの実施形態では、コンテナは、キャップおよびポーチ等の種々の構成要素を嵌合するように設計することができる。場合によっては、コンテナは、高性能キャップおよびポーチと嵌合するように設計することができる。種々の実施形態では、コンテナは、ターンキー統合製造機器とともに使用するために構成することができる。
【０１２８】
（コンテナを充填する）
種々の実施形態では、骨組シェル内に液体保持袋を有するコンテナを充填するための方法が提供される。実施形態では、液体保持袋が充填されるにつれて、シェルを通して骨組(またはシェル)内の空気（または別のガス）を排出させることができるように、骨組と骨組内の液体保持袋との間に空間がある。加えて、内容物が袋から分注されるにつれて、空気は、容量を充填するように骨組を通過することができる。内容物が液体保持袋から分注されるにつれて、空気が骨組の内側の容量の中へ入ることを可能にすることで、液体保持袋の内容物の円滑な分注に役立つ。実施形態では、骨組を通した空気の流動は、骨組の多孔性を使用して達成することができる。別の実施形態では、骨組を通した空気の流動は、骨組の通気口を用いて達成することができる。そのような場合において、通気口は、液体保持袋を穿孔する危険性がほとんどない位置で提供することができる。
【０１２９】
実施形態では、図２２および図２３Ａ−２３Ｆのコンテナ（３３００）等のコンテナは、コンテナの閉鎖具を通してコンテナの液体保持袋の中へ内容物を導入することによって充填することができる。閉鎖具は、密閉可能または再密閉可能な閉鎖具であり得る。実施形態では、液体保持タンクがコンテナの内容物で充填されるにつれて、空気等のガスが排出される。
【０１３０】
実施形態では、充填する前に、骨組内の液体保持袋の設置を補助するように、骨組内の液体保持袋を丸めることができる。この場合、例えば、液体保持袋が充填される場合等に、容易に開くか、または広がるような方法で、液体保持袋を折り畳むか、または丸めることができる。例えば、袋が充填するにつれて解放する、薄いテープの切れ端等の１つ以上の保持部材によって、任意の折り目または巻きが軽く保持され得る。代替として、袋は、接着剤、クリップ、またはバンド、あるいはポーチのサイズを最小限化するための他の方法によって、折り畳んだ、または丸めた状態で保持することができる。充填中に、充填する前にガスを袋に注入すること、または袋をその内容物で充填する際に液体保持袋の拡張等によって、液体保持袋の本体が拡張するにつれて、液体保持袋の本体が拡張することを可能にするように、保持手段を破裂させるか、または液体保持袋から除去することができる。コンテナの骨組の中へ設置する前に、液体保持袋を折り畳む、または丸めることによって、例えば、液体保持袋を取り囲む骨組によって液体保持袋が捕らえられること等の種々の問題を最小限化することができる。この充填手順はさらに、液体保持袋が充填される時に正しい内部配向を成すため、液体保持袋が適正に充填するのに役立つ。
【０１３１】
実施形態では、液体保持袋は、骨組の内部容量よりも大きい容量を有する。このようにして、コンテナの液体保持袋が充填される場合に、液体保持袋は、骨組の内面に接触する。これは、内容物の重量が液体保持袋よりもむしろ骨組によって支持されることを確実にするのに役立つことができる。
【０１３２】
実施形態では、充填後に、それを通して内容物が液体保持具に導入された、液体保持袋の閉鎖具等の開口部が密閉される。実施形態では、閉鎖具は、キャップ（例えば、高性能キャップ）、ツイストキャップ、スナップキャップ、または蓋等の密閉部材を用いて密閉可能または再密閉可能に閉鎖することができる。閉鎖具は、不活性環境または真空下等の制御された環境内で、または周囲環境内で密閉することができる。
【０１３３】
いくつかの実施形態では、本発明の実施形態のコンテナは、それらの商品化に役立つように、ある特徴から利益を得ることができる。これらは、販売場所で製品を吊り下げる能力を含むことができる。これは、再装填ポーチのレールからの吊り下げを可能にする特徴を含むことができる。再装填ポーチまたは再充填ポーチは、単一品目として、またはポーチ群として販売することができ、別のポーチが空になった後に骨組シェルの中へ交換可能である。例えば、単一のポーチを購入し、別のコンテナの骨組シェルの除去後に、そのコンテナの骨組シェルに挿入することができる。いくつかのポーチを単一の骨組シェルとともに販売することができる。骨組シェルは、数回の使用後に再利用されるように意図することができ、または無期限に使用されるように意図することができる。再装填ポーチは、ブランド目的または商品化目的で、小売場所に付属された限定量の包装を有することができる。この限定された包装は、骨組シェルへの再接続、その後続の使用、または除去および再利用のための意図において、機能を果たすことができる。この新しい包装の発明は、商品化または物流の必要性を満たすための特徴を有することができる。
【０１３４】
フィットメントに依存しなくてもよい他の内容物について、生体材料ベースの熱成形骨組に嵌合された可撓性ポーチの生態学的技術を、ボウル／カップ／トレイの形式で再利用内容物を使用するというオプションとともに使用することができる。再利用のための分離可能な構成要素を、ある場合において使用することができる。可撤性不正開封防止密閉具がある。裏地が、ボウル／カップ／トレイから分離可能となる。これは、例えば、ヨーグルト、アイスクリーム、インスタント食品、サラダ、ドライフルーツ、オリーブ、およびマーガリン等の冷蔵または冷凍品目用であり得る。そのようなコンテナは、非冷蔵品目（例えば、ナッツ、香辛料）とともに使用することができ、例えば、蓋または再び積み重ね可能な剥離タブを用いて、再密閉可能であり得る。実施形態では、そのようなコンテナは、（構造化された）ジャーまたは缶の中、あるいは直立型ポーチの中にある品目のための分離可能な裏地および骨組技術を含むことができる。そのようなコンテナから利益を得ることができる品目は、例えば、ナッツ、ドライフルーツ、およびスナック等の、構造からより多くの利益を得ることができるが、プラスチックからはあまり利益を得ない、品目を含む。
【０１３５】
先述のことから、特定の実装が図示および説明されているが、種々の変更をそれらに行うことができ、本明細書で検討されることを理解されたい。また、本発明が本明細書内で提供される具体的実施例によって限定されることも意図されていない。本発明は、前述の明細書を参照して説明されているが、本明細書の好ましい実施形態の説明および例証は、限定的な意味で解釈されるように意図されていない。さらに、本発明の全ての側面は、種々の条件および変数に依存する、本明細書で記載される具体的な描写、構成、または相対的割合に限定されないことを理解されたい。本発明の実施形態の形態および詳細における種々の修正が、当業者に明白となるであろう。したがって、本発明はまた、任意のそのような修正、変化例、および同等物も対象とするものであると検討される。
【図１】
2013522128.tif 000003
【図２】
2013522128.tif 000004
【図３】
2013522128.tif 000005
【図４】
2013522128.tif 000006
【図５Ａ】
2013522128.tif 000007
【図５Ｂ】
2013522128.tif 000008
【図６】
2013522128.tif 000009
【図７】
2013522128.tif 000010
【図８】
2013522128.tif 000011
【図９】
2013522128.tif 000012
【図１０】
2013522128.tif 000013
【図１１】
2013522128.tif 000014
【図１２】
2013522128.tif 000015
【図１３】
2013522128.tif 000016
【図１４Ａ】
2013522128.tif 000017
【図１４Ｂ】
2013522128.tif 000018
【図１５Ａ】
2013522128.tif 000019
【図１５Ｂ】
2013522128.tif 000020
【図１５Ｃ】
2013522128.tif 000021
【図１６】
2013522128.tif 000022
【図１７】
2013522128.tif 000023
【図１８】
2013522128.tif 000024
【図１９Ａ】
2013522128.tif 000025
【図１９Ｂ】
2013522128.tif 000026
【図２０】
2013522128.tif 000027
【図２１】
2013522128.tif 000028
【図２２】
2013522128.tif 000029
【図２３Ａ】
2013522128.tif 000030
【図２３Ｂ】
2013522128.tif 000031
【図２３Ｃ】
2013522128.tif 000032
【図２３Ｄ】
2013522128.tif 000033
【図２３Ｅ】
2013522128.tif 000034
【図２３Ｆ】
2013522128.tif 000035
【国際調査報告】
2013522128.tif 000036
2013522128.tif 000037